(57)【要約】  空気清浄装置アセンブリ、そのためのコンポーネント、およびその特徴について説明する。また、組立ておよび使用方法についても説明する。示されている例において、空気清浄装置アセンブリおよびコンポーネントは任意選択により、有利な筐体シール特徴を利用する。組立ておよび使用方法について説明する。
2019509884.tif 000002
【特許請求の範囲】
【請求項１】
（ａ）濾材と、
（ｂ）前記濾材に連結された筐体シール装置であって、
（ｉ）ある面を有するシール支持体と
（ｉｉ）前記シール支持体により支持され、半径方向を向くシール面と、前記シール支持体面と前記半径方向を向くシール面との間の、シール部材面に沿って変化する厚さを有するシール部材と、
を含む筐体シール装置と、
を含むフィルタカートリッジ。
【請求項２】
（ａ）前記半径方向を向くシール面は内向きの半径方向のシール面を含む、
請求項１に記載のフィルタカートリッジ。
【請求項３】
（ａ）前記半径方向を向くシール面は外向きの半径方向のシール面を含む、
請求項１に記載のフィルタカートリッジ。
【請求項４】
（ａ）前記シール支持体と前記半径方向を向くシール面との間の厚さは半径方向に変化する、
請求項１〜３の何れか１項に記載のフィルタカートリッジ。
【請求項５】
（ａ）前記シール支持体と前記半径方向を向くシール面との間の厚さは軸方向に概して一定である、
請求項１〜４の何れか１項に記載のフィルタカートリッジ。
【請求項６】
（ａ）前記シール部材の厚さは最小厚さと最大厚さだけ変化し、前記最大厚さは前記最小厚さの少なくとも１．１倍である、
請求項１〜５の何れか１項に記載のフィルタカートリッジ。
【請求項７】
前記半径方向を向くシール面は、（ａ）外側に突出して、かつ軸方向に延びる複数の部分と、（ｂ）内側に突出して、かつ軸方向に延びる複数の部分のうちの少なくとも一方を含む、請求項１〜６の何れか１項に記載のフィルタカートリッジ。
【請求項８】
（ａ）前記外側に突出して、かつ軸方向に延びる複数の部分と、前記内側に突出して、かつ軸方向に延びる複数の部分は、前記カートリッジが筐体に導入され、筐体シール面とシールを形成するときに前記半径方向を向くシール面の中に形成される、
請求項７に記載のフィルタカートリッジ。
【請求項９】
（ａ）前記半径方向を向くシール面は、内側に突出して、かつ軸方向に延びる複数の部分と交互の、外側に突出して、かつ軸方向に延びる複数の部分を含み、前記半径方向を向くシール面は外向きの半径方向のシール面を含み、前記シール支持体と、前記外側に突出して、かつ軸方向に延びる複数の部分における前記半径方向を向くシール面との間の前記シール部材の厚さは、前記シール支持体と、前記内側に突出して、かつ軸方向に延びる複数の部分における前記半径方向を向くシール面との間の前記シール部材の厚さより大きい、
請求項７に記載のフィルタカートリッジ。
【請求項１０】
（ａ）前記半径方向を向くシール面は、内側に突出して、かつ軸方向に延びる複数の部分と交互の、外側に突出して、かつ軸方向に延びる複数の部分を含み、前記半径方向を向くシール面は、内向きの半径方向のシール面を含み、前記シール支持体と、前記外側に突出して、かつ軸方向に延びる複数の部分における前記半径方向を向くシール面との間の前記シール部材の厚さは、前記シール支持体と、前記内側に突出して、かつ軸方向に延びる複数の部分における前記半径方向を向くシール面との間の前記シール部材の厚さより薄い、
請求項７に記載のフィルタカートリッジ。
【請求項１１】
（ａ）前記半径方向を向くシール面は、内側に突出して、かつ軸方向に延びる複数の部分と交互の、外側に突出して、かつ軸方向に延びる複数の部分を含み、前記外側に突出して、かつ軸方向に延びる複数の部分と、前記内側に突出して、かつ軸方向に延びる複数の部分のうちの少なくとも一方は湾曲部分を含む、
請求項７〜１０の何れか１項に記載のフィルタカートリッジ。
【請求項１２】
（ａ）前記半径方向を向くシール面は、内側に突出して、かつ軸方向に延びる複数の部分と交互の、外側に突出して、かつ軸方向に延びる複数の部分を含み、前記半径方向を向くシール面は、前記フィルタカートリッジ軸の周囲に延びる前記シール支持体に沿って、１インチあたり、半径方向に内側方向に突出して、かつ軸方向に延びる少なくとも２つの部分と交互の、半径方向に外側に突出して、かつ軸方向に延びる少なくとも２つの部分を含む、
請求項７〜１１の何れか１項に記載のフィルタカートリッジ。
【請求項１３】
（ａ）前記半径方向を向くシール面は、内側に突出して、かつ軸方向に延びる複数の部分と交互の、外側に突出して、かつ軸方向に延びる複数の部分を含み、前記半径方向を向くシール面は、前記フィルタカートリッジ軸の周囲に延びる前記シール支持体に沿った１インチの距離に沿って、前記半径方向に内側に突出して、かつ軸方向に延びる約１３未満の部分と交互の、前記半径方向に外側に突出して、かつ軸方向に延びる約１３未満の部分を含む、
請求項７〜１２の何れか１項に記載のフィルタカートリッジ。
【請求項１４】
（ａ）前記半径方向を向くシール面は、内側に突出して、かつ軸方向に延びる複数の部分と交互の、外側に突出して、かつ軸方向に延びる複数の部分を含み、前記半径方向を向くシール面は、前記半径方向に内側に突出して、かつ軸方向に延びる２０以上の部分と交互の、前記半径方向に外側に突出して、かつ軸方向に延びる２０以上の部分を含む、
請求項７〜１３の何れか１項に記載のフィルタカートリッジ。
【請求項１５】
（ａ）前記半径方向を向くシール面は、内側に突出して、かつ軸方向に延びる複数の部分と交互の、外側に突出して、かつ軸方向に延びる複数の部分を含み、前記半径方向を向くシール面は、前記半径方向に内側に突出して、かつ軸方向に延びる２０以上４００以下の部分と交互の、前記半径方向に外側に突出して、かつ軸方向に延びる２０以上４００以下の部分を含む、
請求項７〜１４の何れか１項に記載のフィルタカートリッジ。
【請求項１６】
（ａ）前記筐体シール装置は、流体が濾材の中に、またはそこから流れる流体ポートを形成し、シール支持体と半径方向に延びるシール部材との間のシール部材の厚さは前記流体ポートに沿って変化する、
請求項１〜１５の何れか１項に記載のフィルタカートリッジ。
【請求項１７】
（ａ）前記濾材は第一および第二の端を有し、中央開放空間を取り囲み、それを画定する、
請求項１〜１６の何れか項に記載フィルタカートリッジ。
【請求項１８】
（ａ）前記濾材は前記中央開放空間の周囲に配置されたプリーツ付き濾材を含む、
請求項１７に記載のフィルタカートリッジ。
【請求項１９】
（ａ）前記濾材は前記中央開放空間の周囲に配置されたプリーツなし濾材を含む、
請求項１７に記載のフィルタカートリッジ。
【請求項２０】
（ａ）前記濾材は、第一および第二の、反対の流面を画定し、前記第二の流面の付近で閉じたフルートの集合と、前記第一の流面の付近で閉じたフルートの集合を有する濾材を含む、
請求項１〜１６の何れか１項に記載のフィルタカートリッジ。
【請求項２１】
（ａ）前記濾材は、第二の濾材シートに取り付けられて、巻き取られるか、または積層されたフルート付き濾材シートを含む、
請求項１〜１６および２０の何れか１項に記載のフィルタカートリッジ。
【請求項２２】
（ａ）前記濾材は、第一および第二の、反対の流面を画定し、前記第一の流面から前記第二の流面まで延びるフルートを有する濾材を含み、前記第一の流面から前記第二の流面への流れは、前記濾材を通る流れによる場合を除き、閉じられる、
請求項１〜１６および２０〜２１の何れか１項に記載のフィルタカートリッジ。
【請求項２３】
（ａ）前記半径方向を向くシール面は、内側に突出して、かつ軸方向に延びる複数の部分と交互の、外側に突出して、かつ軸方向に延びる複数の部分を含み、前記シール支持体面と前記半径方向を向くシール面との間の厚さは、前記外側に突出して、かつ軸方向に延びる部分と、前記内側に突出して、かつ軸方向に延びる部分との間で、前記フィルタカートリッジ軸の周囲で前記半径方向を向くシール面に沿って連続的に変化する、
請求項７〜１６の何れか１項に記載のフィルタカートリッジ。
【請求項２４】
（ａ）前記濾材は第一および第二の端を有し、
（ｂ）第一の開放したエンドピースは前記濾材の前記第一の端に位置付けられ、
（ｃ）前記筐体シール装置は前記第一のエンドピース上に位置付けられる、
請求項１〜２３の何れか１項に記載のフィルタカートリッジ。
【請求項２５】
（ａ）前記シール支持体は、濾材軸の周囲に延びる支持構造を含み、前記シール支持体も濾材を支持する、
請求項１〜２４の何れか１項に記載のフィルタカートリッジ。
【請求項２６】
（ａ）前記シール支持体はプリフォームを含む、
請求項１〜２５の何れか１項に記載のフィルタカートリッジ。
【請求項２７】
（ａ）前記半径方向を向くシール面は、前記濾材の端から引っ込められている、
請求項１〜２６の何れか１項に記載のフィルタカートリッジ。
【請求項２８】
（ａ）気体流吸込み口および気体流吐出し口を有し、アクセスカバーを有する本体部分を含む筐体と、
（ｂ）波形壁筐体シール構造と、
（ｃ）前記筐体内に動作的に、取り外し可能に位置付けられ、前記波形壁筐体シール構造にシールされる請求項１〜２６の何れか１項に記載のフィルタカートリッジと、
を含むフィルタアセンブリ。
【請求項２９】
（ａ）前記波形壁筐体シール構造は、第一のフィルタカートリッジ波形壁面と第二のフィルタカートリッジ波形壁面を含む、
請求項２８に記載のフィルタアセンブリ。
【請求項３０】
（ａ）前記第一のフィルタカートリッジ波形壁面と前記第二のフィルタカートリッジ波形壁面は前記波形壁筐体シール構造のそれぞれ反対側にある、
請求項２９に記載のフィルタアセンブリ。
【請求項３１】
（ａ）濾材と、
（ｂ）筐体シール装置であって、
（ｉ）半径方向を向くシール部材面を有するシール部材と、
（ｉｉ）前記シール部材面に沿って配置され、それを形成する複数のローブと、を含み、
（ｉｉｉ）前記複数のローブは約１ｍｍ／ローブ〜約２５ｍｍ／ローブのピッチを提供する
筐体シール装置と
を含むフィルタカートリッジ。
【請求項３２】
（ａ）前記複数のローブは、約２ｍｍ／ローブ〜約１２ｍｍ／ローブのピッチを提供する、
請求項３１に記載のフィルタカートリッジ。
【請求項３３】
（ａ）前記複数のローブは、約４ｍｍ／ローブ〜約１０ｍｍ／ローブのピッチを提供する、
請求項３１に記載のフィルタカートリッジ。
【請求項３４】
（ａ）前記シール部材面は内向きの半径方向のシール面として提供される、
請求項３１〜３３の何れか１項に記載のフィルタカートリッジ。
【請求項３５】
（ａ）前記シール部材面は外向きの半径方向のシール面として提供される、
請求項３１〜３３の何れか１項に記載のフィルタカートリッジ。
【請求項３６】
（ａ）前記濾材は前記シール部材面の周辺に沿って配置される、
請求項３１〜３５の何れか１項に記載のフィルタカートリッジ。
【請求項３７】
（ａ）前記シール部材面は前記濾材の周辺に沿って配置される、
請求項３１〜３５の何れか１項に記載のフィルタカートリッジ。
【請求項３８】
（ａ）前記濾材はプリーツ付き濾材を含む、
請求項３１〜３７の何れか１項に記載のフィルタカートリッジ。
【請求項３９】
（ａ）前記プリーツ付き濾材は中央開放空間の周囲に配置される、
請求項３８の何れか１項に記載のフィルタカートリッジ。
【請求項４０】
（ａ）前記濾材はプリーツなし濾材を含む、
請求項３１〜３７の何れか１項に記載のフィルタカートリッジ。
【請求項４１】
（ａ）濾材は第一および第二の反対の流面を画定し、前記第二の流面の付近で閉じたフルートの集合と、前記第一の流面の付近で閉じたフルートの集合を有する濾材を含む、
請求項４０に記載のフィルタカートリッジ。
【請求項４２】
（ａ）前記濾材は、前記第二の濾材シートに取り付けられ、巻き取られるか積層されたフルート付き濾材シートを含む、
請求項４０および４１の何れか１項に記載のフィルタカートリッジ。
【請求項４３】
（ａ）前記濾材は、第一および第二の反対の流面を画定し、前記第一の流面から前記第二の流面まで延びるフルートを有する濾材を含み、前記第一の流面から前記第二の流面への流れは、前記濾材を通る流れによる場合を除いて閉じられる、
請求項４０〜４１の何れか１項に記載のフィルタカートリッジ。
【請求項４４】
（ａ）気体流吸込み口と気体流吐出し口を有し、アクセスカバーを有する本体部分を含む筐体と、
（ｂ）波形壁筐体シール構造と、
（ｃ）前記筐体内に動作的に、取り外し可能に位置付けられ、前記波形壁筐体シール構造にシールされた請求項３０〜４２の何れか１項に記載のフィルタカートリッジと、
を含むフィルタアセンブリ。
【請求項４５】
（ａ）前記波形壁筐体シール構造は、第一のフィルタカートリッジ波形壁面と第二のフィルタカートリッジ波形壁面を含む、
請求項４４に記載のフィルタアセンブリ。
【請求項４６】
（ａ）前記第一のフィルタカートリッジ波形壁面と前記第二のフィルタカートリッジ波形壁面は、前記波形壁筐体シール構造のそれぞれ反対側にある、
請求項４５に記載のフィルタアセンブリ。
【請求項４７】
（ａ）濾材と、
（ｂ）前記濾材に連結された筐体シール装置であって、
（ｉ）シール支持体と、
（ｉｉ）シール部材であって、前記シール支持体により支持され、半径方向を向く面と、半径方向を向く面がフィルタ筐体上の、約１ｍｍ／ローブ〜約２５ｍｍ／ローブのピッチで提供された複数のローブを有する波形壁シール面に適合するのに十分な柔らかさと、を有するシール部材と、
を含む筐体シール装置と、
を含むフィルタカートリッジ。
【請求項４８】
（ａ）前記複数のローブは、約２ｍｍ／ローブ〜約１２ｍｍ／ローブのピッチを提供する、
請求項４７に記載のフィルタカートリッジ。
【請求項４９】
（ａ）前記複数のローブは、約４ｍｍ／ローブ〜約１０ｍｍ／ローブのピッチを提供する、
請求項４７に記載のフィルタカートリッジ。
【請求項５０】
（ａ）前記シール部材面は内向きの半径方向のシール面として提供される、
請求項４７〜４９の何れか１項に記載のフィルタカートリッジ。
【請求項５１】
（ａ）前記シール部材面は外向きの半径方向シール面として提供される、
請求項４７〜４９の何れか１項に記載のフィルタカートリッジ。
【請求項５２】
（ａ）前記濾材は前記シール部材面の周辺に沿って配置される、
請求項４７〜５１の何れか１項に記載のフィルタカートリッジ。
【請求項５３】
（ａ）前記シール部材面は前記濾材の周辺に沿って配置される、
請求項４７〜５１の何れか１項に記載のフィルタカートリッジ。
【請求項５４】
（ａ）前記濾材はプリーツ付き濾材を含む、
請求項４７〜５３の何れか１項に記載のフィルタカートリッジ。
【請求項５５】
（ａ）前記プリーツ付き濾材は中央開放空間の周囲に配置される、
請求項５４の何れか１項に記載のフィルタカートリッジ。
【請求項５６】
（ａ）前記濾材はプリーツなし濾材を含む、
請求項４７〜５３の何れか１項に記載のフィルタカートリッジ。
【請求項５７】
（ａ）前記濾材は第一および第二の反対の流面を画定し、前記第二の流面の付近で閉じたフルートの集合と、前記第一の流面の付近で閉じたフルートの集合を有する濾材を含む、
請求項５６に記載のフィルタカートリッジ。
【請求項５８】
（ａ）前記濾材は、第二の濾材シートに取り付けられ、巻き取られるか、積層されたフルート付き濾材シートを含む、
請求項５６および５７の何れか１項に記載のフィルタカートリッジ。
【請求項５９】
（ａ）前記濾材は、第一および第二の反対の流面を画定し、前記第一の流面から第二の流面まで延びるフルートを有する濾材を含み、前記第一の流面から第二の流面への流れは、前記濾材を通る流れによる場合を除き、閉じられる、
請求項５６〜５８の何れか１項に記載のフィルタカートリッジ。
【請求項６０】
（ａ）前記シール部材はシリコンゴムを含む、
請求項４７〜５９の何れか１項に記載のフィルタカートリッジ。
【請求項６１】
（ａ）気体流吸込み口と気体流吐出し口を有し、アクセスカバーを有する本体部分を含む筐体と、
（ｂ）波形壁筐体シール構造と、
（ｃ）前記筐体内に動作的に、取り外し可能に位置付けられ、前記波形壁筐体シール構造にシールされた請求項４６から５９の何れか１項に記載のフィルタカートリッジと、
を含むフィルタアセンブリ。
【請求項６２】
（ａ）前記波形壁筐体シール構造は第一のフィルタカートリッジ波形壁面と第二のフィルタカートリッジ波形壁面を含む、
請求項６１に記載のフィルタアセンブリ。
【請求項６３】
（ａ）前記第一のフィルタカートリッジ波形壁面と前記第二のフィルタカートリッジ波形壁面は、前記波形壁筐体シール構造のそれぞれ反対側にある、
請求項６２に記載のフィルタアセンブリ。
【請求項６４】
請求項２８〜３０、４４〜４６、および６１〜６３の何れか１項に記載のフィルタアセンブリの修理交換方法において、
（ａ）前記フィルタカートリッジを前記筐体内に導入するステップと、前記シール部材と前記波形壁筐体シール構造との間にシールを形成するステップと、
を含む方法。
【請求項６５】
（ａ）前記フィルタカートリッジを前記筐体内に導入するステップによって、前記シール部材を前記波形壁筐体シール構造に適合させるステップをさらに含む、
請求項６４に記載のフィルタアセンブリの修理交換方法。
【発明の詳細な説明】
【技術分野】
【０００１】
関連出願の相互参照
本願は、２０１６年２月１２日に米国特許商標庁に出願された米国特許出願第６２／２９４，６９０号明細書の優先権を主張するものである。米国特許出願第６２／２９４，６９０号明細書の開示の全体を参照によって本願に援用する。
【背景技術】
【０００２】
空気またはその他の気体の濾過は、多くのシステムにおいて望ましい。典型的な用途は、内燃機関への吸気の濾過である。他の用途は、クランクケース換気フィルタアセンブリの濾過である。典型的に、このようなシステムは、その中に修理交換可能なフィルタカートリッジを有するフィルタアセンブリを含む。使用期間が終わると、フィルタ筐体内の濾材は、クリーニングまたは完全な交換の何れかを通じた修理交換が必要である。典型的に、例えば自動車の内燃機関で使用される空気清浄装置またはクランクケース換気フィルタアセンブリの場合、濾材は取り外し可能で交換可能な、すなわち修理点検可能なコンポーネントの中に収容され、これは典型的に、フィルタエレメントまたはカートリッジと呼ばれる。フィルタカートリッジは使用中、空気清浄装置内に取り外し可能にシールされるように構成される。組立て、保守性、および／または使用に関するフィルタ装置の改良が望ましい。フィルタカートリッジは、第一の（例えば、一次）フィルタカートリッジまたは第二の（例えば、二次または安全）フィルタカートリッジとして提供できる。空気清浄装置アセンブリは、第一のフィルタカートリッジだけ、または第一のフィルタカートリッジと第二のフィルタカートリッジの両方を含むことができる。
【発明の概要】
【課題を解決するための手段】
【０００３】
フィルタアセンブリ（空気清浄装置アセンブリまたはクランクケース換気フィルタアセンブリ等）およびそのコンポーネントのほか、その特徴について説明する。また、組立ておよび使用方法についても説明する。フィルタアセンブリは一般に、その中に取り外し可能に位置付けられたフィルタカートリッジを有する筐体を含む。例示的なフィルタカートリッジが示されており、これは、開放空間の周辺に沿って延び、半径方向に内側に突出して、かつ軸方向に延びる部分と交互である、半径方向に外側に突出して、かつ軸方向に延びる複数の部分を有する筐体シール面を有する。半径方向に内側に突出して、かつ軸方向に延びる部分と交互である半径方向に外側に突出して、かつ軸方向に延びる複数の部分は、筐体シール面から半径方向に突出する、軸方向に延びる複数のリブを有する筐体シール面と係合するように構築される。
【０００４】
示されている他の例示的なフィルタカートリッジは、濾材と、筐体シール装置と、を含む。筐体シール装置は、非波形壁シール支持体と、シール部材であって、非波形壁シール支持体により支持され（例えば、それに成型で結合され）、半径方向を向くシール面と、シール部材に沿って変化して、半径方向を向くシール面を形成する波形壁シール面を提供するような、シール支持体と半径方向を向くシール面との間の厚さと、を有するシール部材と、を含む。
【０００５】
示されている他の例示的なフィルタカートリッジは、濾材と、筐体シール装置と、を含む。筐体シール装置は、半径方向を向く波形壁シール部材面を有するシール部材と、波形壁シール部材面に沿って配置され、それを形成する複数のローブと、を含み、複数のローブは、約１ｍｍ／ローブ〜約２５ｍｍ／ローブ（例えば、約２ｍｍ／ローブ〜約１２ｍｍ／ローブ）のピッチを提供し、ピッチは隣接するローブのピーク間の距離である。
【０００６】
示されている他の例示的なフィルタカートリッジは、濾材と、筐体シール装置と、を含み、筐体シール装置は、シール支持体と、シール部材であって、シール支持体によって支持され、半径方向を向く面と、半径方向を向く面が約１ｍｍ／ローブ〜約２５ｍｍ／ローブ（例えば、２ｍｍ／ローブ〜約１２ｍｍ／ローブ）のピッチで提供された複数のローブを有するフィルタ筐体上の波形壁シール面に適合できるのに十分な柔らかさと、を有し、ピッチは隣接するローブのピーク間の距離である、シール部材と、を含む。
【０００７】
本開示によるいくつかの利点を得るために、空気清浄装置アセンブリ、そのコンポーネント、またはその特徴が本明細書において特徴付けられている詳細事項のすべてを有するという特別な要求事項はない。
【図面の簡単な説明】
【０００８】
【図１】本開示による空気清浄装置アセンブリの斜視図である。
【図２】図１の空気清浄装置アセンブリの断面斜視図である。
【図３】図１の空気清浄装置アセンブリの一部の拡大断面斜視図である。
【図４】フィルタカートリッジが取り外された、図１の空気清浄装置の一部の拡大断面斜視図である。
【図５】図１の空気清浄装置で使用するフィルタカートリッジの一部の部分図の斜視図である。
【図６】図５のフィルタカートリッジの一部の断面斜視図である。
【図６Ａ】図５のフィルタカートリッジの断面図である。
【図６Ｂ】外向きのシール面の端面図である。
【図６Ｃ】図６Ｂの一部の拡大図を示す。
【図６Ｄ】内向きのシール面の端面図である。
【図６Ｅ】図６Ｄの一部の拡大図を示す。
【図７】図１の空気清浄装置の筐体の吐出し管の平面図である。
【図８】図２の空気清浄装置のフィルタカートリッジの閉鎖エンドピースの平面図である。
【図９】図１の空気清浄装置アセンブリの一部組立て断面斜視図であり、空気清浄装置の筐体吐出し管と係合する前のフィルタカートリッジを示す。
【図１０】概して図１による空気清浄装置アセンブリのための代替的な吐出し管端面図であり、この代替的な出口管は代替的なフィルタカートリッジと使用できる。
【図１１】図１０の代替的な吐出し管の、線１１−１１に沿った断面図である。
【図１２】図１１の代替的な吐出し管の、線１２−１２に沿った断面図である。
【図１３】図１１の代替的な吐出し管の、線１３−１３に沿った断面図である。
【図１４】図１０の吐出し口と係合するように構築された代替的なフィルタカートリッジの斜視図である。
【図１５】図１４のフィルタカートリッジのエンドピースの底面図である。
【図１６】図１５のフィルタカートリッジの、線１６−１６に沿った断面図である。
【図１７】図１６のフィルタカートリッジのエンドピースの、線１７−１７に沿った断面図である。
【図１８】図１０の吐出し口と係合するように構築された、他の代替的なフィルタカートリッジの斜視図である。
【図１９】図１８のフィルタカートリッジの側面図である。
【図２０】図１８のフィルタカートリッジの底面図である。
【図２１】図１０の吐出し口と係合するように構築されたフィルタカートリッジの斜視図である。
【図２２】図２１のフィルタカートリッジの端面図である。
【図２３】図２２のフィルタカートリッジの、線２３−２３に沿った断面図である。
【図２４】図２２のフィルタカートリッジの、線２４−２４に沿った断面図である。
【図２５】図２１のフィルタカートリッジのエンドピースの、線２５−２５に沿った断面図である。
【図２６】Ｚ型濾材を含むフィルタカートリッジを利用する代替的な空気清浄装置アセンブリの分解断面図である。
【図２７】図２６の、およびプレクリーナを含む空気清浄装置アセンブリの断面図である。
【図２８】第一のフィルタカートリッジと第二のフィルタカートリッジを利用する代替的な空気清浄装置アセンブリの分解断面図である。
【図２９】図２８の空気清浄装置アセンブリの分解図である。
【図３０】図２８の空気清浄装置アセンブリの分解断面図である。
【図３１】図２８と同様の空気清浄装置アセンブリの断面図である。
【図３２】図３１の、およびプレクリーナを含む空気清浄装置アセンブリの断面図である。
【図３３】本開示の空気清浄装置アセンブリで使用できる代替的な濾材パックの斜視図である。
【図３４】本開示の空気清浄装置アセンブリで使用できる代替的な濾材パックの斜視図である。
【図３５】本開示の空気清浄装置アセンブリで使用できる代替的な濾材パックの上面図である。
【図３５Ａ】図３５の濾材パックの底面図である。
【図３５Ｂ】図３５の濾材パックの側面図である。
【図３６】本開示の空気清浄装置アセンブリで使用できる代替的な濾材パックの端面図である。
【図３７】本開示の空気清浄装置アセンブリで使用できる代替的な濾材パックの斜視図である。
【図３８Ａ】本開示の空気清浄装置アセンブリで使用できる代替的な濾材パックの斜視図である。
【図３８Ｂ】図３８Ａの濾材パックの一部の端面図である。
【図３８Ｃ】本開示の空気清浄装置アセンブリで使用できる代替的な濾材パックの一部の端面図である。
【図３９】本開示の空気清浄装置アセンブリで使用できる代替的な濾材パックの一部の端面図である。
【図４０】本開示の空気清浄装置アセンブリで使用できる代替的な濾材パックの一部の端面図である。
【図４１】本開示の空気清浄装置アセンブリで使用できる代替的な濾材パックの一部の端面図である。
【図４２Ａ】本開示の空気清浄装置アセンブリで使用できる代替的なフィルタエレメントの端面図である。
【図４２Ｂ】図４２Ａのフィルタエレメントの、線４２Ｂ−４２Ｂに沿った断面図である。
【発明を実施するための形態】
【０００９】
詳細な説明
本明細書において、例示的なフィルタアセンブリ、フィルタカートリッジ、およびそのコンポーネントが説明され、示されている。様々な具体的な特徴とコンポーネントを詳しく特徴付ける。利益を提供するために、多くのものを応用できる。しかしながら、本開示によるいくつかの利益を提供するためには様々な個々の特徴とコンポーネントを説明されている特徴と特性のすべてを有する全体としてのアセンブリに応用しなければならない、という特別な要求事項はない。
【００１０】
複数の実施形態が示され、説明されている点に留意されたい。これらの実施形態は、示されている特徴に関してすべてを網羅しているとされるものではない。すなわち、１つの実施形態の選択された特徴は、希望に応じて、他の実施形態の１つまたは複数にも有利に応用することができる。多くの例において、示されているフィルタアセンブリは、例えば内燃機関のフィルタ吸気に使用される空気清浄装置アセンブリである。フィルタアセンブリがクランクケース換気フィルタアセンブリである別の実施形態についても説明されており、この場合、フィルタカートリッジは、典型的にその中に微粒子状と液体の両方の汚染物質が含まれるクランクケースブローバイガスの濾過に使用される。どちらのタイプのフィルタアセンブリも、一般に「気体フィルタアセンブリ」であり、これは、濾過されるキャリアステージが気体（空気またはクランクケース換気ガス）であるからである。本明細書で説明される技術は典型的に、気体濾過の用途において使用されるが、希望に応じて例えば液体等、他の材料の濾過にも使用できる。
【００１１】
図１の参照番号１は概してフィルタアセンブリ、例えば本開示による空気清浄装置または空気清浄装置アセンブリもしくは構成を示す。（この例示的な空気清浄装置アセンブリの）フィルタアセンブリ１は、筐体２を含む。筐体２は、側壁２ｓを画定し、第一の本体または筐体部分３と、第二の本体部分、またはアクセスカバー４を含む。図の例において、アクセスカバー４は、第一の本体部分３に取り外し可能に固定されるが、代替案も可能である。同じく、代替案が可能であるが、図の例の場合、カバー部分４の本体部分３への取付は、ツイストロック装置５による。例示的なツイストロック装置５は、２０１５年６月２日に出願された米国仮特許出願第６２／１８４，５６７号明細書に示されており、その開示を参照によって本願に援用する。カバー部分４は、ラッチ、例えばオーバセンタラッチによって本体部分３に保持できる。
【００１２】
一般に、空気（気体）クリーナ１は、空気（ガス）流吸込み装置７を含む。図の例において、空気流吸込み装置７は、本体部分３に取り付いている、７ｔで示される吸込み管である。図に示されている特定の吸込み管７ｔは側面の接線方向の吸込み口として構成され、すなわち、気体流は、筐体の中心軸Ｘの方向に直接向けられるのではなく、筐体２の内壁に対して接線方向に向けられる。代替的な吸込み装置、位置、および方向も可能である。しかしながら、図の接線方向の吸込み装置は後述の理由により、好都合で有利である。
【００１３】
８において、筐体２にあるダスト／水排出装置が示され、これは管９を含む。図の例において、管９はアクセスカバー４の一部を含むが、代替案も可能である。管９は、吸引バルブ装置１０により覆われ、図の例では空気清浄装置で広く使用されるタイプのダックビルバルブを含み、例えば参照によって本願に援用される国際特許出願第２００６／０６２４１  Ａ１号パンフレット、米国特許第６，４１９，７１８  Ｂ１号明細書、および米国特許第８，８６４，８６６号明細書を参照されたい。代替的な吸引バルブ装置を使用できる。
【００１４】
１５において、吐出し管または流管が、筐体本体部分３の残りの部分の上に位置付けられた筐体２の一部として示されている。管１５は、筐体本体３と一体に形成できるが、吐出し管１５は筐体本体３にスナップフィットされた、またはそれ以外に取り付けられた別の部品とすることができる。
【００１５】
動作中、濾過されるべき空気（気体）が吸込み管７ｔを通って空気清浄装置アセンブリに入る。最終的に、やがて空気は筐体２の内部２ｉの中に位置付けられたフィルタカートリッジ装置の濾材を通る。エアフィルタカートリッジの濾材を通過した後、濾過された空気は吐出し管１５を通って筐体から出るように案内される。吐出し管１５から、濾過された空気は機器の下流に、例えばターボシステムへ、またはエンジンシステムの空気取り入れ口へと案内される。
【００１６】
図の特定の空気清浄装置（フィルタ）アセンブリ１は、任意選択のプレクリーナステージを含む。プレクリーナステージは一部に、空気を吸込み管７ｔから接線方向に筐体２の内部２ｉの中へと案内することによって提供される。すると、空気はアセンブリ１の内部の周囲のサイクロンパターンに案内される。これは、空気の流れの中に水またはダスト粒子があれば、その一部を側壁２ｓの内面に当たるように追いやる傾向がある。空気の流れから分離されたこの物質は最終的に、管９に向かって移動し、その中に入り、そこからバルブ１０を通じて排出される。
【００１７】
図の特定の空気清浄装置アセンブリ１は、それを様々な向きで、例えば中心軸Ｘを垂直にして、または中心軸Ｘを水平にして、または垂直と水平との間の何れかの角度で取り付けることができるように構成される。これは、吐出し管９を下方に向けることによって容易になる。
【００１８】
筐体本体部分３は、そこに取り付いている取付パッド装置を含むことができる。取付パッド装置は、筐体２の残りの部分と一体に形成でき、またはそれは別の部品とすることもできる。取付パッド装置は、筐体２を、空気清浄装置１がそれと共に使用される機器の上の所定の位置に固定するのに役立てるために使用される。筐体部分３に取り付いている取付パッド装置を有することにより、修理交換中に筐体部分３は機器上の所定の位置にボルト、またはその他のシステムにより保持でき、アクセスカバー４は、修理交換に好都合となるように、本体部分３に取り外し可能に固定される。筐体部分３の一部として使用可能な例示的な取付パッド装置は米国特許第８，８６４，８６６号明細書において開示されており、その開示を参照によって本願に援用する。
【００１９】
目詰まりインディケータ１５ｒのための圧力タップは、任意選択によって、空気清浄装置アセンブリ１と共に使用できる。
【００２０】
本開示と共にその他の空気清浄装置アセンブリを使用でき、これには国際特許出願第２００６／０６２４１  Ａ１号パンフレット、国際特許出願第２００９０１４９８８号パンフレット、米国特許第６，４１９，７１８  Ｂ１号明細書、および米国特許第８，８６４，８６６号明細書に示され、開示されたものが含まれ、これらの開示を参照により本願に援用する。
【００２１】
次に、図２を参照すると、空気清浄装置アセンブリ１が断面図で示されている。図２を参照すると、フィルタカートリッジ２５とフィルタカートリッジ２７が筐体内部２ｉの中に位置付けられているのがわかる。フィルタカートリッジ２５について、以下により詳しく説明する。一般に、カートリッジ２５は修理交換可能なコンポーネントであり、これは濾材２６の広がりを含み、濾過されるべき空気はそこを通過した後、アセンブリ１から出ることができる。さらに、フィルタカートリッジ２７について、以下により詳しく説明する。一般に、カートリッジ２７は修理交換可能なコンポーネントであり、これは濾材２８の広がりを含み、濾過されるべき空気はそこを通過した後、アセンブリ１から出る。フィルタカートリッジ２５は第一の（例えば、一次）フィルタカートリッジまたはエレメントと呼ぶことができ、フィルタカートリッジ２７は第二の（例えば、二次または安全）フィルタカートリッジまたはエレメントと呼ぶことができる。本明細書において述べられているフィルタカートリッジの実施形態の様々な特徴は一次および二次フィルタカートリッジの両方に当てはまり、このような記述は、特に別段のことわりがないかぎり、一次または二次フィルタカートリッジのみに限定されると解釈されるべきではない。さらに、本明細書において述べられているフィルタカートリッジの特定の実施形態の各種の特徴は他の実施形態にも当てはまり、このような記述は、文脈によりそうではないことが明白であるか、または特に別段のことわりがないかぎり、説明されているこの特定の実施形態のみに限定されると解釈されるべきではない。
【００２２】
「修理交換可能なコンポーネント」という用語は、本明細書において、およびカートリッジ２５および２７に関して使用されるかぎり、カートリッジ２５および２７が空気清浄装置アセンブリ１の中で取り外し可能かつ交換可能であることを意味する。それゆえ、濾材２６および／または２８が使用中に詰まると、カートリッジ２５および／またはカートリッジ２７を取り外すことができ、修理または交換できる。
【００２３】
図２を参照すると、筐体２が、フィルタカートリッジ２５の選択された部分の周囲に任意選択によるシールド装置２９を含むことがわかる。シールド装置２９は、筐体本体部分３の中に第一のシールド部分３０を含み、これはその位置においてカートリッジ２５の一部を取り囲む向きであり、シールド３０と外部側壁３２との間に環３１を形成する。吸込み口７からの空気は吸込み穴７ａの中と環３１の中およびサイクロンパターン内に案内される。シールド３０は、空気が少なくとも部分的にサイクロンパターンを通り、アクセスカバー４に向かう方向にシールド３０を通過し終わるまで、環３１の中に取り込まれた空気により運ばれるダストおよびその他の物質が濾材２６に直接衝突するのを防止する。
【００２４】
図２において、シールド装置２９の第二のシールド部分は、アクセスカバー４の中に参照番号３３で示されている。第二のシールド部分３３は、シールド３３と部分４の側壁３５との間に環３４を画定する。３７において、側壁２に開けられた筐体内部２ｉから管９の内部９ｉへの出口または吐出し穴が示されている。出口または吐出し穴３７は環３４と連通している。シールド３３は、ダストおよびその他の物質を穴３７からダスト排出装置８へと除去しやすくするのに役立つ。
【００２５】
部分３０および３３と同様の１つまたは複数のシールドを有する、シールド装置２９と同様のシールド装置を使用することは、多くの空気清浄装置構成において共通しており、例えば国際特許出願第２００６／０６２４１  Ａ１号パンフレット、国際特許出願第２００９／０１４９８８号パンフレット、米国特許出願第６１／４４６，６５３号明細書、米国特許出願第６１／４７３，２９６号明細書、米国特許第６，４１９，７１８  Ｂ１号明細書、および米国特許第８，８６４，８６６号明細書を参照されたく、開示を参照により本願に援用する。同様の特徴と原理をここで使用できる。
【００２６】
シールド装置２９とダスト排出装置８の使用は、空気から水およびそれより大きい粒子を分離するための第一のプレクリーナステージを有し、その後、空気がフィルタカートリッジ２５を通過する（第二ステージ）「２ステージ」または「２段階」空気（気体）清浄装置が望まれる多くの用途に利用できることに留意されたい。しかしながら、このような特徴は一般に任意選択によるもので、本開示の原理の多くは、このような２ステージ構成またはプレクリーナステージを持たない空気清浄装置において応用できる。フィルタカートリッジ２５の下流に、第二のフィルタカートリッジ２７があり、それによって空気はフィルタカートリッジ２５とフィルタカートリッジ２７の両方を通ってから、空気吐出し口１５を介して外に出る。理解すべき点として、空気清浄装置アセンブリ１は、フィルタカートリッジ２５だけでも、フィルタカートリッジ２７だけでも、または一緒に、および図２に示されているように提供されたフィルタカートリッジ２５とフィルタカートリッジ２７の両方でも動作させることができる。
【００２７】
前述のように、図１〜２に関してこれまでに特定され、記載された一般的な空気清浄装置の構成（フィルタアセンブリ）と動作に関する特徴はよく知られた特徴であり、その形態は、様々なシステムで使用されている。図１〜２の本空気清浄装置の特定の固有の特性は、フィルタカートリッジの、特にそれと空気清浄装置アセンブリ１の他の部分との係合に関する具体的な特徴に関係する。ここでは、これに関する選択された特徴について述べる。
【００２８】
再び、一般的な意味として、カートリッジ２５および２７は修理交換可能なコンポーネントである。すなわち、これらは空気清浄装置１の耐用期間中、取り外して交換できる。カートリッジ２５と筐体２との間、およびカートリッジ２７と筐体との間には、カートリッジを修理交換可能なコンポーネントとするために、および濾過されていない空気がカートリッジ２５および／またはカートリッジ２７を通らずに吐出し管１５に入ることを確実に防止するために、それがエンジンに損傷を与えかねないことから、解除可能なシールが必要である。
【００２９】
フィルタカートリッジ２５は一般に濾材２６を含み、これは第一および第二の反対の濾材端４１および４２との間に延びる。第一の濾材端４１は第一のエンドピース（例えば、キャップ）４５と係合する。第二の濾材端４２は、第二のエンドピース（例えば、キャップ）または部品４６と係合する。それゆえ、濾材２６は反対のエンドキャップ（例えば、エンドピース）４５、４６間に延びる。
【００３０】
本明細書で説明されている、例えば示されている選択された手法では代替案が可能であるが、濾材２６は開放したフィルタ内部２６ｉを取り囲むように、一般に空気清浄装置１とカートリッジ２５の中心軸Ｘの周囲に構成される。濾材２６は、プリーツ付き濾材とすることができるが、代替案も可能である。濾材２６は、希望に応じて図のように円筒形のパターンに構成できるが、代替案も可能である。例えば、濾材２６は両端４１、４２間の範囲で幾分、円錐のような形状とすることができる。また、濾材は、非円形の内周および／または外周を有するように構成でき、例えば長円、楕円、またはその他の断面形状が可能である。いくつかの実施形態において、これらの様々な構成を得るために濾材は中央プレナムの周囲に配置される。
【００３１】
本明細書で説明されている選択された手法では代替案が可能であるが、第二のエンドピース（例えば、キャップ）４６は典型的に、閉鎖エンドピースまたはキャップであり、第二の端４２において濾材２６を完全に覆うように延び、濾材２６のその端４２とフィルタ内部２６ｉを閉じる。すなわち、例えば図のようなエンドピース４６は閉鎖エンドピース、すなわち、開放したフィルタ内部２６ｉと連通する貫通穴を持たないエンドピースである。
【００３２】
他方で、第一のエンドピースまたはキャップ４５は開放エンドピースである。すなわち、これは、例えば開放したフィルタ内部２６ｉを介して濾材と連通する中央穴５０を取り囲み、それを画定する。典型的な使用では、穴５０は濾過された空気のための、濾材、例えば開放フィルタ２６ｉからの空気流出口穴である。濾過中の気体の流れが逆方向である代替的な用途では、穴５０を取込み穴とすることができる。一般に、これは気体流用の穴である。
【００３３】
図の例の場合、第一のエンドピース４５はカートリッジ２５の濾材２６全体にわたり、外周２６ｘから内周２６ｏまで延びる。第一のエンドピース４５は典型的に、貫通する中央の穴５０を１つだけ有する。
【００３４】
再び、アクセスカバー４を筐体本体部分３から取り外すと、内部２ｉに手を入れてカートリッジ２５を取り付けるか、取り外すことができる。その際、フィルタカートリッジ２５を筐体２に適切に取り外し可能にシールして、濾過されていない空気流が吐出し管１５に流入しないように保護する必要がある。このようにするために、カートリッジ２５には第一の（または筐体）シール装置５５を設ける。
【００３５】
筐体シールまたは第一のシール装置５５と筐体２との間の例示的な相互作用が米国特許第８，８６４，８６６号明細書において説明されており、その開示の全体を参照によって本願に援用する。
【００３６】
第一の筐体シールまたは第一のシール装置５５および第一のエンドピース（例えば４５）の他の特徴に関して、図３および４を参照する。第一のシール装置５５は、解除可能なシールのために、空気清浄装置アセンブリ１のうち、第一のカートリッジシール面５８と呼ばれる一部と係合するように向けられた半径方向を向くシールまたはシール面５５ｓを画定していることがわかる。図のように、第一のシール装置５５は、第一のフィルタカートリッジ２５がフィルタアセンブリ１に取り付けられると、第一のカートリッジシール面５８との外向きの半径方向シールを形成する。
【００３７】
さらに図３を参照すると、第一のシール装置５５の、構造５８とシールを形成する面５５ｓが概して半径方向を向く面であることがわかるであろう。したがって、第一のシール装置５５は、半径方向を向くシールと呼ぶことができる。これに関して、「半径方向に」とは、シールまたはシール面（およびシール中のシール面の圧縮）は、概して中心軸Ｘに向かうか、その反対に（すなわち、その周囲に、またはそれを中心として）方向付けられることを意味する。図の例における特定の面５５ｓは、中心軸Ｘに関して半径方向に外向きに描かれているため、シール装置５５は「半径方向に外向き」として特徴付けることができる。しかしながら、本開示によるいくつかの原理では、半径方向に内向きのシールを使用することができる点に留意されたい。
【００３８】
理解すべき点として、シールまたはシール面を半径方向に外向き、または半径方向に内向きとして特徴付けることは、シールに作用する力が正確に中心軸Ｘを通るとはかぎらないかもしれない状況を含む。すなわち、中心軸Ｘの周囲の、またはそれを中心としたシール面の形状または曲率により、シール面に沿った何れの特定の点においてシールを圧縮する力も、中心軸Ｘの片側またはその反対に向かう方向に分解されてもよい。一般に、シール面はシール部材の内側（内向きで、概して中心軸Ｘに面する）か、またはシール部材の外側（外向きで、概して中心軸Ｘと反対に面する）の何れかである。シール部材への力の方向は、次の記述から明らかとなる。これは、シール部材にかかる力が概して中心軸Ｘと平行な方向に加えられ、シール面が概して中心軸Ｘに垂直である軸方向シールと対照的である。
【００３９】
図の例において、筐体シール装置５５はエンドピース（例えば、キャップ）４５の一部を含むことが示される。より一般的な意味では、特定の筐体シール装置がエンドピースの一部を含むか否かを問わず、筐体シール装置はフィルタカートリッジに取り付けられ、筐体に解除可能にシールされるように構成される。
【００４０】
本明細書で説明される好ましく、有利な筐体シール装置は一般に、「クランプ不使用」または「ノークランプ」筐体シール装置である。これによって、これらはカートリッジが筐体に挿入されると確立され、筐体シール装置の周囲で何れかの種類のクランプまたはコネクタを締める必要がないことを意味する。
【００４１】
図の例示的な第一のシール装置５５の具体的な特徴を、以下により詳しく説明する。
【００４２】
一般に、図３に示される特定の装置の場合、シール装置５５がそれと取り外し可能に係合して第一のシール装置５５を形成する表面５８は、筐体２の軸方向に内側に、図２のアクセスカバー４に向かって方向付けられるシールフランジ６０を含む。
【００４３】
ここで、図２〜４を参照すると、カートリッジ２５は内部の詳細を示すために、各部分が断面で示されている。特に第一のエンドピース（例えば、キャップ）４５に注目する。典型的な好ましい実施形態において、エンドピース（例えば、キャップ）４５はシール支持体６２を含み、それによって、成型されたシール部材６４がシール支持体６２と第一のカートリッジシール面５８との間で圧縮される。好ましくは、表面５５ｓでのシール装置５５のためのシール圧力は、エンドピース（例えば、キャップ）４５の中に、半径方向に圧縮可能な材料を提供し、好ましくは（および任意選択により）その中に比較的硬質の半径方向の支持装置（例えば、シール支持体６２）を埋め込むことによって管理される。
【００４４】
いくつかの実施形態において、シール装置５５のための支持を提供する支持装置は、エンドピース（例えば、キャップ）モールディング４５の中に埋め込まれた「プリフォーム」である。これに関して、「プリフォーム」とは、支持装置または構造、すなわちカートリッジ２５の組立てには、予め形成された、すなわちプリフォームコンポーネントが使用されることを意味する。典型的に、プリフォームコンポーネントはプラスチックから成型されるが、代替案も可能である。典型的に、プリフォームコンポーネントは第二のエンドピース（例えば、キャップ）４５に向かって延びる構造に固定されるが、代替案も可能である。「プリフォーム」の形成およびシール装置５５のプリフォームへの取付は、鋳造またはその他の方法で行うことができる。
【００４５】
シール支持体６２は典型的に、第一のシール５５を形成するシール材料中のある位置に埋め込まれ、それによって半径方向に中心軸Ｘに向かう表面５５ｓの圧縮は、支持体６２により、表面５５ｓと支持体６２との間の領域におけるエンドピース（例えば、キャップ）材料の半径方向の圧縮量が少なくとも５％、典型的には少なくとも１５％、好ましくは少なくとも約２５％の最小圧縮を有し、典型的には約７５％未満の最大圧縮を有することになるような方法でバックアップされる。典型的に、これを実現するために、シール支持体６２は表面５５ｓから最大で２５ｍｍ未満、通常１５ｍｍ未満の距離に位置付けられ、または離間され、間隔の量が約３〜１５ｍｍの範囲内である。これに関して間隔の量とは、最大の間隔、すなわちシール支持体６２と、表面５５ｓのうち表面５５ｓが圧縮によって歪められていないときにシール支持体６２から半径方向に最も遠い部分との間の距離を意味する。支持体６２とシール装置５５があるこのタイプの配置は、支持されたシールと呼ぶことができる。
【００４６】
ここで、図２、３、および５〜９に示されるフィルタカートリッジ２７を参照すると、フィルタカートリッジ２７は第二のフィルタエレメントと呼ぶことができる。いくつかの実施形態において、第一のフィルタカートリッジ２５が取り外され、新品または修理されたフィルタカートリッジと交換されるフィルタアセンブリ１の修理交換中、第二のフィルタエレメント２７は、ダストまたはデブリが吐出し管１５に入るのを防止する。さらに、第一のフィルタカートリッジ２５が故障したときに、第二のフィルタカートリッジ２７は、ダストまたはデブリが吐出し管１５に入るのを防止するために利用可能である。しかしながら、前述のように、説明されている特徴は第一または第二のフィルタカートリッジのみに限定されると解釈されるべきではない。
【００４７】
第二のフィルタカートリッジ２７は第一の端８０と、第二の端８２と、第一の端８０と第二の端８２との間に延びる濾材２８と、を含む。図の例示的な第二のフィルタカートリッジ２７において、第一の端８０は第一のエンドピース（例えば、キャップ）８４を含み、第二の端８２は第二のエンドピース（例えば、キャップ）８６を含む。第二のフィルタカートリッジ２７は、希望に応じて、第二のエンドピース８６を設けずに提供できる。すなわち、第二のフィルタカートリッジ２７は、濾材が第二の端８２を超えて延びるように提供できる。それに加えて、第二のフィルタカートリッジ２７は、第一の端８０から第二の端８２まで延びて濾材２８を支持しながら、ガス（空気）がそこを通過できるのを助けるための支持構造９０（例えば、スクリーン等のライナ）を設けることができる。濾材２８は、第一および第二のエンドピース８４および８６に埋め込むことができる。それに加えて、濾材２８のための支持構造９０は、第一および第二のエンドピース８４および８６の中に埋め込むことができる。
【００４８】
第二のフィルタカートリッジ２７は、濾材２８が開放したフィルタ内部２８ｉを取り囲むように構成される。例えば、濾材２８は、プリーツ付き濾材またはプリーツなし濾材として提供できる。濾材２８は、希望に応じて図のように円筒形のパターンで構成できるが、代替案も可能である。例えば、濾材２８は両端８０、８２間の範囲で幾分、円錐形とすることができる。それに加えて、濾材は非円形の内周および／または外周を有するように構成できる。例えば、濾材は、楕円形、円形、またはその他の断面形状を有するように構成できる。
【００４９】
第二のエンドピース（例えば、キャップ）８６は閉鎖エンドピースとして提供でき、第二の端８２において濾材２８を完全に覆うように延び、フィルタ内部２８ｉの濾材２８の第二の端８２を閉じる。第二のエンドキャップ８６の例示的な上面図が、例えば図８に示されている。第二のエンドキャップ８６は、第二のフィルタカートリッジ２７と第一のフィルタカートリッジ２５との間に軸方向の圧縮を提供するのを助ける突起８６ｐを含むことができる。
【００５０】
第二のエンドピース（例えば、キャップ）８６は閉鎖エンドピースまたはキャップ、すなわち開放したフィルタ内部２８ｉと連通する貫通穴を持たないエンドキャップとして特徴付けることができる。各種の代替的な構成において、第二の端８２は、エンドキャップを設けずに提供できる。第二のフィルタエレメント２７の１つの変形型では、第二のエンドキャップ８６がなく、濾材２８が第二の端８２を覆うように延びてこれを取り囲む。すなわち、濾材２８が第二の端８２において閉鎖手段を形成でき、それによって濾過されていない空気が開放したフィルタ内部２８ｉに入るのを防止する。代替案として、第二の端８２にはシール装置を設けることができ、それが第二のフィルタエレメント支持構造に取り付けられ、支持構造は第二のフィルタカートリッジ２７の第二の端８２に対応する閉鎖端を含む。支持構造の残りの部分は、そこを気体（空気）が流れるために開放することになる。しかしながら、支持構造の閉鎖端は、第二のフィルタカートリッジ２７の第二の端におけるシールと共に、濾過されていない空気が開放したフィルタ２８ｉの中に入るのを防止する。このような配置は、国際特許出願第２００８／０４５３２６号パンフレットおよび国際特許出願第２００９／０１４９８６号パンフレットにおいて開示されており、これらを参照によって本願に援用する。
【００５１】
第一のエンドピース（例えば、キャップ）８４は支持体９２と第二のシール部材９４を含むことができる。支持体９２は、支持構造９０の一部として提供でき、または支持体９２は、プラスチックプリフォーム等の別のコンポーネントとして提供できる。図６に示されるように、支持体９２は支持構造９０の一部とすることができる。すなわち、支持構造９０は第二のシール部材９４の中に、筐体２とシーリング関係になったときに第二のシール部材９４を支持するのを助けるのに十分な量だけ延びる。支持構造９０（および／または支持体９２）と第二のシール部材９４との組合せは、第一のエンドキャップ８４を形成できる。支持体９２は、それが第二のフィルタカートリッジのシール領域１１０の筐体の第二のフィルタカートリッジのシーリング面１１２と係合したときに第二のシール部材９４を支持するのを助ける。第二のシール部材９４は、第二のフィルタカートリッジ２７のための筐体シール装置と呼ぶことができる。一般に、第二のシール部材９４は、支持体９２に成型によって結合でき、外向きのシーリング面９６を提供する。成型時、第二のシール部材９４は、支持体９２の外側に外側部分９４ｏを有し、支持体９２の内側に内側部分９４ｉを有するように提供できる。
【００５２】
第二のシール部材９４は、支持体９２の先端を越えて延びる部分９４ｔを含むことができる。それに加えて、第二のシール部材９４は、半径方向に外側に突出して、かつ軸方向に延びる複数の部分９８および／または（例えば、それと交互の）半径方向に内側に突出して、かつ軸方向に延びる部分９９を含むことができる。図６Ａに示される実施形態において、半径方向に内側に突出して、かつ軸方向に延びる部分９９と交互である、半径方向に外側に突出して、かつ軸方向に延びる複数の部分９８は、第二のシール部材９４の外側部分９４ｏ（支持体９２の外側）に配置される。代替的な実施形態に示されるように、第二のシール部材には、第二のシール部材９４の内側部分（支持体９２の内側の内側部分９４ｉ等）に配置された、半径方向に内側に突出して、かつ軸方向に延びる複数の部分および／または（例えば、それと交互の）半径方向に外側に突出して、かつ軸方向に延びる部分を設けることができる。半径方向に外側に突出して、かつ軸方向に延びる複数の部分９８および／または（例えば、それと交互の）半径方向に内側に突出して、かつ軸方向に延びる部分９９（外側部分９４ｏと内側部分９４ｉの何れに配置されているかを問わない）の配置は、「波形壁シール部材面」９５と呼ぶことができる。いくつかの実施形態において、波形壁シール部材面の形状は、シール部材に形成してから、フィルタエレメントが例えば空気清浄装置の筐体内に導入される。他の実施形態において、シール部材は、例えば空気清浄装置の筐体の中に挿入されたときに、シール部材と筐体のシール面との間の相互作用の結果として、波形壁シール部材面の形状をとる。
【００５３】
波形壁シール部材面９５は、外向きの半径方向シールとして、または内向きの半径方向シールとして提供できる。図５および６Ａに示される実施形態において、波形壁シール部材面９５は、外向きの半径方向シールとして示されている。図６Ｂおよび６Ｃもまた、半径方向に内側に突出して、かつ軸方向に延びる部分９９と交互である、半径方向に外側に突出して、かつ軸方向に延びる複数の部分９８を備える外向きの波形壁シール部材面９５のある実施形態を示す。図６Ｂおよび６Ｃにおいて、「外側に」および「内側に」とは、基準線ｒに関して言うことができる。図６Ｄおよび６Ｅに示されている実施形態は、半径方向に内側に突出して、かつ軸方向に延びる部分９９’と交互である半径方向に外側に突出して、かつ軸方向に延びる複数の部分９８’を備える、内向きの波形壁シール部材面９５’を含む。図６Ｄおよび６Ｅにおいて、「外側に」および「内側に」とは、基準線ｒに関して言うことができる。第一および第二のフィルタカートリッジを有する実施形態において、第一のフィルタカートリッジの波形壁面は、第二のフィルタカートリッジの波形壁面と軸方向に一致することができる。
【００５４】
図６Ａの実施形態において、第二のシール部材９４は中央の開放空間１５ｉの周辺に延びる。中央の開放空間１５ｉは、開放したフィルタ内部２８ｉと連通することができる。図の実施形態において、フィルタアセンブリ１の動作中、第二のフィルタカートリッジ２７が取り付けられると、空気は濾材２８を通って開放したフィルタ内部２８ｉの中へと通過し、その後、中央の開放空間１５ｉを通り、吐出し管１５の中に入る。他の実施形態において、流れの方向は逆とすることができる。
【００５５】
「波形壁シール部材面」は、軸方向に延びながら外側に突出する、および内側に突出する部分を有するとして特徴付けられる。これらの部分は軸方向に延びるため、シール部材を軸方向に（中心軸Ｘに沿った方向に）筐体シール面の中に入り、またそこから出るように移動させ、それによって半径方向のシール状態を作ることが可能である。それに加えて、外側に突出する部分と内側に突出する部分は軸方向に延びるため、フィルタエレメントは、据え付けられるとき（例えば、半径方向のシールが作られるとき）中心軸Ｘの周囲での回転に抵抗する。シール面は、軸方向に延びる、外側に突出する部分と内側に突出する部分を有する相補的な「波形壁シール筐体面」と相互作用するように構成される。例示的な波形壁シール筐体面は、図４においてシーリング面１１２として描かれている。
【００５６】
図６Ａに示されているように、いくつかの実施形態において、波形壁シール部材面９５は、非波形壁支持体９２により支持されるシール部材の一部として提供できる。しかしながら、いくつかの実施形態において、シール部材は支持体を含まない（例えば、シール部材が濾材および／または支持構造の軸方向の端を越えて延び、プラスチックプリフォーム等の別のコンポーネントを含まない実施形態等）。非波形壁支持体は、波形壁シール部材面が外向きの半径方向シールとして提供されている場合、および内向きの半径方向シールとして提供されている場合、波形壁シール部材面を支持するために使用できる。いくつかの実施形態において、壁支持体の形状はシール部材面の形状と異なる。このような実施形態において、シール面と壁支持体との間のシールの厚さＴは、連続的または間欠的に周辺に沿って（例えば、半径方向に）変化することができる。特定の実施形態において、シール面と壁支持体の間のシールの厚さＴは、周辺の少なくとも一部に沿って規則的に繰り返すパターンで変化する。いくつかの実施形態において、最大厚さＴｍｅ対最小厚さＴｍｅの比は１．１より大きく、例えば約１．２より大きい（例えば、約１．３より大きい）。特定の実施形態において、Ｔｍｅは少なくとも約１ｍｍ、例えば少なくとも約２ｍｍ（例えば、少なくとも約４ｍｍ）である。
【００５７】
図６Ａに示される実施形態において、壁支持体９２は一般に、一定の半径を持つ円筒形である。他の実施形態は、楕円またはレーストラック（湾曲する両端が直線の辺で分離される）等の異なる形状を有していてもよい。一般に、支持体は起伏のない状態で提供でき、屈曲点を含まない形状を有することができる。特定の実施形態において、湾曲する場合、壁支持体の曲率は、波形壁シール部材面より少なくとも１．５倍大きく、少なくとも２倍大きく、またはそれ以上の倍率で大きくすることができる。
【００５８】
図５を参照すると、第二のシール部材９４は、第二の端９４ｂから第一の端９４ａまでに、第二のフィルタカートリッジのシーリング面１１２を有するシールを提供するのに十分な軸方向の距離または高さ９４ｈを有すると特徴付けることができる。一般に、高さ９４ｈは、半径方向に内側に突出して、かつ軸方向に延びる部分９９の最も深い凹部９９ｒから半径方向に外側に突出して、かつ軸方向に延びる部分９８の最も外側の部分９８ｏまでの距離として特定できる深さ９４ｄの少なくとも４倍とすることができる。しかしながら、代替的な実施形態において、比は約４未満であってもよい。特定の実施形態において、比は少なくとも６、少なくとも８であり、少なくとも１０とすることができる。図の実施形態において、シール部材の高さは概して一定である。他の実施形態において、シール部材の高さは変化する。
【００５９】
第二のフィルタカートリッジ２７の第一の端８０に配置される第二のシール部材９４は、それが第二のフィルタカートリッジのシール領域１１０においてフィルタアセンブリ１の中にフィットするように提供される。第二のフィルタカートリッジのシーリング領域１１０は、軸方向に延びる第二のフィルタカートリッジバッフル１１４の内部に配置された第二のフィルタカートリッジのシール面１１２を含む。軸方向に延びる第二のフィルタカートリッジバッフル１１４の内部はさらに、第二のフィルタカートリッジのインデックス付き面１１３を含む。インデックス付き面１１３は、第二のフィルタカートリッジ２７を、第二のフィルタカートリッジのシーリング面１１２のその位置において第二のシール部材９４との間に正確な解除可能シールが作られるような向きにするのを助ける。
【００６０】
それに加えて、図の実施形態においては、軸方向に延びる支持バッフル１１６が提供される。図４に示される実施形態において、第二のフィルタカートリッジ２７の第二のシール部材９４は、第二のフィルタカートリッジのバッフル１１４と支持バッフル１１６との間にフィットする。理解すべき点として、支持バッフル１１６は任意選択によるものであり、フィルタアセンブリ１は、支持バッフル１１６がない状態で提供できる。支持バッフル１１６は、第二の支持部材９４のための支持を提供しながら、中央の開放空間１５ｉ内に空気が流れるようにするための間隙も提供するのを助ける。第二のシール部材９４のためのバックアップ支持を提供するのを助けるために、支持バッフル１１６は複数の支持フランジ１１８に分割できる。支持フランジ１１８は、第二のフィルタカートリッジ２７が第二のフィルタカートリッジのシール領域１１０の中に配置されたときに曲がることができ、第二のフィルタカートリッジのシーリング面１１２に対して第二のシール部材９４の半径方向に連続的な支持を提供する。支持バッフルフランジ１１８間のギャップ１２０により、複数の支持フランジ１１８が曲がって、第二のフィルタカートリッジ２７の挿入と取り外しを支援する。
【００６１】
図の第二のフィルタカートリッジのバッフル１１４は軸方向に延びる複数のリブ１２４を含み、これは、第二のフィルタカートリッジのバッフル１１４の内面１１４ｉに沿って、第二のフィルタカートリッジのシーリング領域１１０の中へと軸方向に延びる。軸方向に延びるリブ１２４は、インデックス付き面１１３の少なくとも一部とシール面１１２の少なくとも一部を形成する。インデックス付き面１１３は、第二のシール部材９４を適正な位置に整列させるのを助けるため、第二のフィルタカートリッジ２７が第二のフィルタカートリッジのシール領域１１０の中に完全に導入されたときに、第二のシール部材９４とシール面１１２との間にシール状態を作ることができる。リブ１２４は、インデックス付き面１１３に沿って導入されるとき、第二のフィルタカートリッジ２７を適正な向きに整列させるのを助ける。
【００６２】
いくつかの実施形態において、インデックス付き面ギャップ１２８を設けて、第二のフィルタカートリッジ２７が十分に挿入されて、第二のシール部材９４とシール面１１２との間にシールが確実に作られるのを助けることができる。すなわち、第二のシール部材９４が第二のフィルタカートリッジのバッフル１１４のインデックス付き面１１３と係合するだけである場合には、十分なシールが作られないかもしれない。適正なシールを得るために、第二のフィルタカートリッジ２７は、第二のシール部材９４が第二のフィルタカートリッジのシーリング面１１２と係合して、それらの間にシール状態を作るように着座させるべきである。さらに、ギャップ１２８によって、第一のフィルタカートリッジ２５の支持構造１３０の割出しが可能となる。第一のフィルタカートリッジ２５の割出しの結果として、第一のシール装置５５を第一のカートリッジのシール面５８とより正確に整列させて、第一のフィルタカートリッジ２５を筐体２とシールされた状態に正しく挿入することができる。
【００６３】
前述のように、第二のシール部材９４は、外側に突出して、かつ軸方向に延びる複数の部分９８および／または（例えば、それと交互の）内側に突出して、かつ軸方向に延びる複数の部分９９を含むことができる。その結果として得られるシール面は、波形壁シール部材面９５と呼ぶことができる。波形壁シール部材面９５の実施形態は、例えば図５において、外向きの波形壁シール部材面９５として示されているが、シール面は内向きの波形壁シール部材面として提供でき、この場合、シール面は半径方向に内向きのシール面である。
【００６４】
一般に、シール部材９４の外向きのシール面９４ｓの周辺は、対応する内側に突出して、かつ軸方向に延びる部分９９と交互の少なくとも約２０の半径方向に外側に突出して、かつ軸方向に延びる部分９８を含む。数はこれと異なっていてもよいが、一般には、周辺が内側に突出して、かつ軸方向に延びる部分９９と交互の約２０〜約４００（例えば、約２０〜約１２０、例えば約２０〜約４０）の半径方向に外側に突出して、かつ軸方向に延びる部分９８を含むと予想される。いくつかの実施形態において、半径方向を向くシール面は、フィルタカートリッジの軸の周囲に延びるシール支持体に沿って１インチの距離にわたり、半径方向に内側に突出して、かつ軸方向に延びる部分のうちの約１３未満と交互の半径方向に外側に突出して、かつ軸方向に延びる部分のうちの約１３未満を含む。
【００６５】
図６Ａを参照すると、波形壁シール部材面９５は、ローブ１００のピークから隣接するピークまでの距離である「ピッチ」の点で特徴付けることができる。波形壁シール部材面９５の場合、ピッチはピーク９８ｐａと隣接するピーク９８ｐｂまでの距離として定義できる。あるいは、ピッチは、隣接する谷９９ｔａと９９ｔｂとの間の距離としても定義できる。前述のように、波形壁シール部材面９５は、半径方向に内側に突出して、かつ軸方向に延びる複数の部分９９と交互の半径方向に外側に突出して、かつ軸方向に延びる複数の部分９８を含むことができる。半径方向に外側に突出して、かつ軸方向に延びる部分９８はピーク９８ｐを形成し、半径方向に内側に突出して、かつ軸方向に延びる部分９９は谷９９ｔを形成する。波形壁シール部材面９５は、修理交換業者（フィルタエレメント据付け業者）が行える割出しの程度が、修理交換業者がフィルタエレメントを筐体の中で正確に割り出すことかでき、フィルタエレメントを取り直さなくてよいような程度となるようなピッチを有すると特徴付けることができる。すなわち、フィルタエレメントは、フィルタエレメントをゼロまたは中立位置からプラスマイナス約１５度（好ましくは、プラスマイナス１０度）の範囲内で回転させるだけで正しく割り出すことができる。
【００６６】
これを実現するために、ピッチは少なくとも１ｍｍ／ローブ、例えば少なくとも２ｍｍ／ローブ、または、いくつかの実施形態においては少なくとも４ｍｍ／ローブとすることができる。特定の実施形態において、ピッチは２５ｍｍ／ローブ未満、例えば１２ｍｍ／ローブ未満、１０ｍｍ／ローブ未満、または８ｍｍ／ローブ未満とすることができる。いくつかの実施形態において、ローブのピッチは比較的一定である。他の実施形態において、ピッチはローブまたはローブの集合間で異なる。
【００６７】
ローブは何れの有用な形状を含むこともできる。図６Ａに示される実施形態において、ローブ１００は、エレメント挿入軸に沿って見たときに概して湾曲している。他の実施形態において、ローブは１つまたは複数の直線部分、点、または曲線、およびこれらの組合せを含むことができる。図６Ｄおよび６Ｅのローブ１００’もまた、湾曲しているように示されているが、１つまたは複数の直線部分、点、または曲線、およびこれらの組合せを設けることができる。
【００６８】
図４および９を再び参照すると、第二のフィルタカートリッジのバッフル１１４は、インデックス付き面１１３とシール面１１２を含む。前述のように、第二のシール部材９４は、シール面１１２との半径方向のシールを提供する。インデックス付き面１１３は、外向きで軸方向に延びる複数の部分９８と、それと交互の、内側に突出して、かつ軸方向に延びる複数の部分９９を整列させて、第二のシール部材９４が、第二のフィルタカートリッジ２７をさらに軸方向に挿入すると、第二のシール部材９４とシール面１１２との間にシールが作られるように正しい向きとなるようにするのを助ける。有利な点として、インデックス付き面１１３は、第二のシール部材９４を長持ちさせるうえで有害となり得る第二のシール部材９４の捻じれや挟み込みを回避することにより、第二のシール部材９４とシール面１１２との間の半径方向のシール状態を作るのを助ける。さらに、第二のシール部材の挟み込みと捻じれは、空気が第二のシール部材９４を迂回する機会を生じさせるかもしれない。
【００６９】
例示的なインデックス付き面１１３は、軸方向に延びる複数のリブ１２４の上の、リブ１２４の引込み部分に面取り部分１４０を含むように示されている。この例示的なインデックス付き面１１３はまた、シール面１１２と比較して、軸Ｘからさらに離れて配置された面１４２を含むように示されている。したがって、フィルタカートリッジ２７は軸方向に筐体２の中に挿入されるため、面取り部分１４０は、半径方向に外側に突出し、かつ軸方向に延びる部分９８が隣接する軸方向に延びるリブ１２４間に向けられ、半径方向に内側に突出して、かつ軸方向に延びる部分９９が軸方向に延びるリブ１２４と反対に向くように第二のシール部材９４を整列させるのを助ける。図の実施形態においては、面１４２は軸方向に延びるリブ１２４間に配置されるシール面１１２に関して若干窪ませられているため、第二のシール部材９４がインデックス付き面１１３に沿って配置されたときに、シール状態を作るのに十分に第二のシール部材９４が圧縮されないかもしれない。理解すべき点として、インデックス付き面１１３は、第二のフィルタカートリッジ２７が正しい向きにされてから、フィルタカートリッジ２７を軸方向にさらに挿入すると、外向きのシーリング面９６とシーリング面１１２との間にシールが作られるようにフィルタカートリッジ２７を向き付けるのに役立つ。図４に示される実施形態において、インデックス付き面１１３は第二のフィルタカートリッジ２７の移動方向においてシーリング面１１２の付近に配置される。また、図４の実施形態に示されるように、シーリング面１１２は、インデックス付き表面１１３に関して軸Ｘに向かって半径方向に延びることができる。
【００７０】
第二のフィルタカートリッジのバッフル１１４がインデックス付き面１１３とシーリング面１１２を有するように示されているが、インデックス付き面とシール面を有する第二のフィルタカートリッジ２７を提供できる。さらに、第二のフィルタカートリッジ２７は、概して一定の外向きのシーリング面９６を持つ第二のシール部材９４を有するように示されている。第二のシール部材９４は、シール面とインデックス付き面の両方を含むように変更できる。さらに第二のフィルタカートリッジのバッフル１１４は、それがシール面を含むが、インデックス付き面を含まないように変更できる。
【００７１】
ここで、図６Ａを参照すると、第二のシール部材９４と支持体９２の組合せの一部の断面図が示されている。この場合、支持体９２は支持構造９０（例えば、スクリーン等のライナ）を含む。図のように、第二のシール部材９４は外側部分９４ｏと内側部分９４ｉを含む。図の第二のシール部材９４において、支持体９２（または支持構造９０）から内面９４ｓまで延びる厚さまたは距離が概して一定の内側部分９４ｉを提供できる。これに対して、外側部分９４ｏは、支持体９２（または、支持構造９０）と、外側に突出して、かつ軸方向に延びる複数の部分９８と、それと交互である、半径方向に内側に突出して、かつ軸方向に延びる複数の部分９９により形成される外向きのシール面９６との間に非一定の厚さまたは距離を提供する。図の実施形態において、この非一定の厚さは、面９６が図６Ａに示されるように連続している場合、連続的に変化する厚さとして特徴付けることができる。
【００７２】
シール支持体９２と外向きのシール面９６との間の厚さが非一定であることから、第二のシール部材９４は、シール部材９４の外向きのシール面９６と筐体シール面１１２との間のシール状態を作るために、それが同様の形状を有する筐体シール面に正しく対応するように向き付けられ、または割り出されるべきである。理解すべき点として、筐体シール面に対応するようにシール部材を正しく向き付け、または割り出すというこの利点は、シール部材が第一または第二のフィルタエレメント上に設けられ、シール部材が半径方向に外側に突出するか、半径方向に内側に突出する、本明細書で説明されている各種の代替的な実施形態に当てはまる。
【００７３】
次に、図１０〜１３を参照すると、代替的な吐出し管が参照番号２００に示されている。吐出し管２００は、図１および２に関して説明したフィルタアセンブリ１等のフィルタアセンブリで利用できる。吐出し管２００は、筐体本体３にスナップフィットされ、またはそれ以外に取り付けられる部品として提供できる。それに加えて、吐出し管２００は、筐体部分３と一体に提供できる。吐出し管２００は、図１および２に示される吐出し管１５の代わりに提供でき、第一のフィルタカートリッジのシール面２０２と第二のフィルタカートリッジのシール面２０４を提供する。第一のフィルタカートリッジのシール面２０２と第二のフィルタカートリッジのシール面２０４の両方を提供することにより、吐出し管２００によって、図３に示される第一のカートリッジシール面５８は不要となる。すなわち、第一のカートリッジのシール面５８をなくすことができ、第一のフィルタカートリッジと第二のフィルタカートリッジは、これらが吐出し管２００をシールするように提供できる。
【００７４】
吐出し管２００は、ネック部材２０６とシーリング部材２０８を含む。一般に、ネック部材２０６は筐体を越えて延びる部分である。典型的に、清浄化され、または濾過された空気はネック部材２０６を通過して、内燃機関等の下流の使用に供される。シーリング部材２０８は、軸方向にフィルタアセンブリの中へと延び、第一のフィルタカートリッジのシール面２０２と第二のフィルタカートリッジのシール面２０４を提供し、それに第一のフィルタカートリッジと第二のフィルタカートリッジを密着させることができる。
【００７５】
第一のフィルタカートリッジのシール面２０２および／または第二のフィルタカートリッジのシール面２０４は、例えば起伏のある、または波形壁２１０を有することによって、本明細書で説明されているシール部材と相補的であると特徴付けることができる。起伏のある、または波形壁２１０はまた、波形壁筐体シール面と呼ぶこともできる。一般に、起伏のある、または波形壁２１０とは、円周方向に均一でない半径方向シール面を指す。「円周方向に均一でない」という語句は、中心軸Ｘから第一のフィルタカートリッジのシール面２０２まで、および／または第二のフィルタカートリッジのシール面２０４までの半径方向の距離が、中心軸Ｘの周囲のその円周に沿って一定でないことを指す。図のように、波形壁２１０は連続面を有するが、連続面は一連の波と見ることができ、波は概して、中心軸Ｘに沿って軸方向に整列する。波形壁２１０は、片側に第一のフィルタカートリッジのシール面２０２と、反対側に第二のフィルタカートリッジのシール面２０４を含む。波形壁２１０の厚さを最小にするために、第一のフィルタカートリッジのシール面２０２の波の数は、第二のフィルタカートリッジのシール面２０４に提供される波の数と等しくすることができる。２つの面の波の数が異なる場合、波形壁２１０の厚さは、それぞれの側の異なる数の波を収容できるのに十分でなければならないであろう。理解すべき点として、吐出し管２００は、第一のフィルタカートリッジのシール面２０２の波の数が、第二のフィルタカートリッジのシール面２０４と比較して異なるように提供できる。
【００７６】
図の第一のフィルタカートリッジのシール面２０２に沿って、波形壁２１０は、半径方向に内側に突出して、かつ軸方向に延びる部分２１９と交互の、半径方向に外側に突出して、かつ軸方向に延びる部分２１８を有すると特徴付けることができる。図の第二のフィルタカートリッジのシール面２０４に沿って、波形壁は、半径方向に内側に突出して、かつ軸方向に延びる部分２１９’と交互の、半径方向に外側に突出して、かつ軸方向に延びる部分２１８’を有すると特徴付けることができる。いくつかの実施形態において、波形壁２１０の厚さ２１０ｔは円周方向に変化する。波形壁２１０の厚さ２１０ｔは、軸方向に変化することも可能である。一般に、軸方向の変化は、波形壁２１０に軸方向の「抜け勾配」またはテーパが存在することによるかもしれない。周辺の厚さが異なるのは、第二のフィルタカートリッジのシール面２０４に沿った波形パターンが第一のフィルタカートリッジのシール面２０２に沿った波形パターンと同じである必要がないことによるかもしれない。第二のフィルタカートリッジのシール面２０４と第一のフィルタカートリッジのシール面２０２の波パターンの違いは、図１０、１２、および１３に示されている。第一のフィルタカートリッジのシール面２０２は第二のフィルタカートリッジのシール面２０４と比較して、軸Ｘからさらに離れているため、第一のフィルタカートリッジのシール面２０２に沿った波形パターンを形成する曲率は、第二のフィルタカートリッジのシール面２０４に沿った波形パターンと異なるようにすることができる。
【００７７】
波形壁２１０に沿った一連の波は概して軸方向に延びるため、第一のフィルタカートリッジのシール面２０２と第二のフィルタカートリッジのシール面２０４は、軸方向において比較的連続的で、軸方向に均一であるが、中心軸Ｘの周辺または円周方向には波形、または周辺に沿って不均一であると考えることができる。その結果、波形壁２１０と係合するように構成されたフィルタ要素は、軸方向にスライドすることにより、スライドさせて係合させることができる。波形壁２１０の周辺に沿って不均一な面は、波形壁２１０と係合している第一のフィルタエレメントおよび／または第二のフィルタエレメントの回転を防止するのに役立ちうる。理解すべき点として、「回転」と言う場合、フィルタエレメントが中心軸Ｘの周囲で回転する傾向を指す。回転は、空気清浄装置がトラック等の自動車に搭載されているときに起こりうる、空気清浄装置の振動に起因する可能性がある。さらに、回転はシールにとって有害となりうる。波形壁２１０は、中心軸Ｘの周囲でのフィルタエレメントの回転を軽減または排除するのに役立ちうる。シール面が中心軸Ｘに関して一定の半径の周辺において延びる先行技術のシール面は、「周辺に沿って均一」、または「円周方向に均一」と言うことができる。
【００７８】
波形壁２１０の第一のフィルタカートリッジのシール面２０２と第二のフィルタカートリッジのシール面２０４の各々は、複数の壁が軸方向に延び、周辺に沿って、または円周方向に配置されることから、円周に沿って不均一であると言うことができる。軸方向には、第一のフィルタカートリッジのシール面２０２と第二のフィルタカートリッジのシール面２０４は、比較的一定と考えることができる。しかしながら、理解すべき点として、軸方向において、テーパが付いていてもよい。テーパは、例えば吐出し管２００が射出成型で製作される場合の製造工程の結果として得られてもよい。このような状況では、わずかにテーパ（典型的に、約３度未満）がつくようにモールド内に抜け勾配を提供することか有利であるかもしれない。何れの場合も、テーパは、第一および第二のフィルタカートリッジ上のシール部材が波形壁２１０と係合し、それに沿って軸方向にスライドして、最終的に完全にシールされるのを助ける点で有利であり得る。
【００７９】
波形壁２１０の利点は、第一のフィルタカートリッジと第二のフィルタカートリッジが空気清浄装置アセンブリ内の振動による回転に抵抗できることである。一般に、空気清浄装置アセンブリが自動車に搭載される場合、自動車のエンジンは振動を生じさせる傾向があり、それが今度はその中のフィルタエレメントを移動させる原因となりうる。さらに、筐体内でのフィルタエレメントの回転等の移動は、その結果として、シール部材が摩耗し、濾過されていない空気がフィルタカートリッジを迂回する経路を作ってしまう可能性により、問題となりうる。したがって、吐出し管２００の波形壁２１０は、フィルタエレメントの移動に抵抗するのを助ける。適当なフィルタカートリッジとの組み合わせにより、対応する波形壁シール面を持つシール部材を有することにより、フィルタカートリッジはフィルタエレメントを所定の位置に固定するのを助ける追加の構造が不要で回転に抵抗できる。上述のように、このようなシールデザインを持つフィルタカートリッジは、波形壁シール部面を有すると言うことができる。波形壁シール部材面と係合する筐体壁は、波形壁筐体シール面を有するということができる。
【００８０】
波形壁２１０の他の利点は、それによって波形壁２１０と係合するように設計されたフィルタエレメントが、例えば米国特許第８，８６４，８６６号明細書に記載された構成と比較して、回転係合のために利用可能な選択肢をより多く有することができるという点である。例えば、波形壁２１０と係合するように構成されたシール部材を有するフィルタエレメントは、それが波形壁２１０と係合して所望のシールを提供する、割出しのための多くの構成を有する。それによって、サービス業者にとって空気清浄装置の修理交換がより容易になる。理解すべき点として、この「割出し」は、筐体に挿入される前に、波形壁２１０の形状に対応する形状を有するシール部材面が形成されるときに適用される。他の実施形態において、シール部材面は、フィルタエレメントを波形壁２１０とシーリング関係の状態にしたことの結果として、波形壁２１０の形状に形成されるか、その形状がそのまま写し取られる。このような状況では、割出しは、フィルタエレメントを波形壁とシーリング関係の状態にする前に、シール部材面が波形壁形状に対応する形状を呈さない時には適用不能かもしれない。
【００８１】
前述のように、波形壁シール面９５は複数のローブ１００を含む。波形壁シール面９５上のローブ１００は、波形壁２１０と係合するように提供される。図６Ａに示されるシール構成の場合、ローブ１００は第二のフィルタカートリッジのシール面２０４に沿って谷２１８’（外側に突出して、かつ軸方向に延びる部分）と係合する。ローブ１００が概して小さいため、ローブ１００が谷２１８’と係合する正しい向きを見つけるために、フィルタエレメントを中心軸Ｘの周囲でわずかに時計回りに、または反時計回りに回転させることが好都合である。したがって、エレメントを空気清浄装置に導入するサービス業者は、手の回転範囲内でエレメントを回し、シール部材９６が波形壁２１０と係合する受け位置を見つけることができる。このタイプの割出しにより、フィルタエレメントを波形壁２１０と正確に整合させるために、サービス業者の手を大きく回転移動させ、または複数回移動させる必要がなくなる。さらに、それが波形壁２１０と整列しやすく、嵌りやすいため、サービス業者は、フィルタエレメントが正しい空気清浄装置の筐体に入ったことを感じ取ることができる触覚フィードバック効果がある。その結果、サービス業者は、シール部材が波形壁２１０と嵌合することにより、フィルタエレメントがその空気清浄装置にとって正しいフィルタエレメントであり、正しい向きであるとの確信を感じることができる。
【００８２】
何れの特定の据付けの場合も、エレメントを最初に挿入してから係合させるための回転方向は２通りあり得る。本明細書で説明されている自己割出しの特徴により、その方向に移動させやすくなり、それほど回転させなくてよい。その方向について、割出しのための最大の回転は、次式により度で表現できる：３６０度／（ローブの数×２）。
【００８３】
図１０〜１１に示される実施形態において、吐出し管２００は停止部材２１２を含み、その各々が、フィルタカートリッジを第二のフィルタカートリッジのシール面２０４に沿って挿入できる範囲を限定する停止面２１４を有する。吐出し管２００は、筐体本体とスナップ式に嵌るスナップフィット吐出し管として示されている。筐体の壁は、スナップ突起２１５の上をスライドし、吐出し管ストッパ２１６と係合することができる。その結果、筐体の壁はスナップ突起２１５とストッパ２１６との間に配置できる。さらに、波形壁２１０と係合するように構成されたフィルタエレメントは、スライドによって第一のカートリッジのシール面２０２に沿って係合でき、筐体の壁により停止させることができる。
【００８４】
波形壁２１０は図のように、第一のフィルタカートリッジのシール面２０２と第二のフィルタカートリッジのシール面２０４を含む。図の波形壁２１０の面２０２および２０４の各々は、半径方向に内側に突出して、かつ軸方向に延びる部分２１９および２１９’と交互の、半径方向に外側に突出して、かつ軸方向に延びる部分２１８および２１８’を有すると特徴付けることができる。第一のフィルタカートリッジのシール面２０２は、複数の交互のピーク（またはリッジ）２２０と谷（または溝）２２２を有すると特徴付けることができる。同様に、第二のフィルタカートリッジのシール面２０４は、複数の交互のピーク（またはリッジ）２２４と谷（または溝）２２６を有すると特徴付けることができる。そのため、複数のピーク２２０と谷２２２および複数のピーク２２４と谷２２６は、第一の端２３０から第二の端２３２へと軸方向Ｘに概して連続的に延びる。
【００８５】
いくつかの実施形態において、シーリング面２０２および／またはシーリング面２０４の大きさは、第一の端２３０から第二の端２３２に向かって変化しうる。例えば、シーリング面２０２は、第一の端２３０と比較して、中心軸Ｘから第二の端２３２に向かって、第一の端２３０より遠くまで延ばすことができる。他の例として、シーリング面２０４は、第一の端２３０と比較して、第二の端２３２に向かって中心軸Ｘのより近くまで延ばすことができる。このような大きさの変化は、第一の端２３０から第二の端２３２に向かって導入されているシール部材に、シール状態を作るのに役立てるために加えられる圧力を増大させるのに役立ちうる。大きさの変化は、不連続的（例えば、段階状）でも、漸進的（例えば、テーパ状）でもよい。いくつかの実施形態において、複数のピーク２２０と谷２２２および／または複数のピーク２２４と谷２２６を概して階段状またはテーパ状に提供して、第一の端２３０において第二の端２３２と異なる大きさを有するようにて提供できる。あるいは、複数の代替的なピーク２２０と谷２２２および／または複数のピーク２２４と谷２２６は、第一の端２３０から第二の端２３２へと概して均一に提供できるが、理解すべき点として、製造方法から、抜け勾配が存在するかもしれない。一般に、抜け勾配とは、型抜きを支援する構造内に提供される角度を指す。約０．５度〜約３度の抜け勾配が使用できる。
【００８６】
図１０に示される向きに基づいて、第一のフィルタカートリッジのシール面２０２上のピーク２２０と谷２２２はそれぞれ、外側に突出し、かつ軸方向に延びる部分２１８と内側に突出して、かつ軸方向に延びる部分２１９に対応し、第二のフィルタカートリッジのシール面２０４上のピーク２２４と谷２２６はそれぞれ、内側に突出して、かつ軸方向に延びる部分２１９’と外側に突出して、かつ軸方向に延びる部分２１８’に対応する。それゆえ、第一のフィルタカートリッジのシール面２０２と係合するシール部材上のローブは、隣接するピーク２２０間の谷２２２にフィットする。同様に、第二のフィルタカートリッジのシール面２０４と係合するシール部材上のローブは、隣接するピーク２２４間の谷２２６にフィットする。
【００８７】
図の実施形態において、ピーク２２０および２２４にはベベル２３４および２３６が提供される。一般に、ベベル２３４および２３６は、波形壁２１０に沿ってフィルタカートリッジを導入し、割り出すのを支援する。ベベル２３４および２３６がある場合、それらは中心軸Ｘに関して約１０度〜約８０度の間の角度で延びるように提供できる。図１１に示される例示的実施形態において、ベベル２３４および２３６は、中心軸Ｘに関して約４５度の角度で延びる。ベベルがないことも容認可能であるかもしれない（例えば、表面が約９０度の角度で軸Ｘまで延びる場合）が、ベベルのない面は、第一のフィルタエレメントおよび／または第二のフィルタエレメントのシール部材を受け、シール部材の不必要な摩耗を引き起こしがちであるかもしれないという可能性がある。
【００８８】
前述の定義と一致する波形壁シール部材面と共に、内向きの半径方向のシール部材または外向きの半径方向のシール部材の何れかを持つシール部材を有するいくつかのフィルタカートリッジの設計が開示されている。さらに、そのようなシール部材は、前述の波形壁筐体シール面または代替的な波形壁筐体シール面にフィットするように構成できる。
【００８９】
ここで、図１４〜１７を参照すると、カートリッジ（例えば、第二の、または安全）が参照番号２５０で示されている。フィルタカートリッジ２５０は、第一のエンドピース（例えば、キャップ）２５２と、第二のエンドピース（例えば、キャップ）２５４と、第一のエンドキャップ２５２から第二のエンドキャップ２５４まで延びる濾材２５６と、濾材２５６を支持し、同じく第一のエンドキャップ２５２から第二のエンドキャップ２５４まで延びるライナ２５８と、を含む。濾材２５６は、第一の端２５６ａから第二の端２５６ｂまで延びると特徴付けることができ、ライナ２５８は、第一の端２５８ａから第二の端２５８ｂまで延びると特徴付けることができる。一般に、濾材の第一の端２５６ａとライナの第一の端２５８ａは、第一のエンドキャップ２５２の中に埋め込むことができ、濾材の第二の端２５６ａとライナの第二の端２５８ｂは、第二のエンドキャップ２５４の中に埋め込むことができる。第一のエンドキャップ２５２は、濾過された空気がフィルタエレメント２５０の中の中央領域２６４から吐出し管２００を通って流れることができるようにする中央穴２６２があることから、開放エンドキャップ２６０として特徴付けることができる。第二のエンドキャップ２５４は、それが濾材の第二の端２５６ｂを覆うように延び、濾材の第二の端２５６ｂを閉じるため、閉鎖エンドキャップ２６６として特徴付けることができる。フィルタエレメント２５０は、濾材が第二の端２５６ｂを覆うように連続的に提供される場合、第二のエンドキャップ２５４がない状態で提供できる。
【００９０】
濾材２５６は、何れのタイプの濾材としても提供でき、例えば２次フィルタエレメント内で一般的に使用される濾材である。例示的な濾材には、プリーツ付きまたはプリーツなし濾材（不織布濾材等）および多層ラミネートが含まれる。
【００９１】
濾材２５６が第一のエンドピース（例えば、キャップ）２５２および／または第二のエンドキャップ２５４の中に埋め込まれ、または植え込まれている場合、スタンドオフ２５９の位置まで延びる第一の端２５６ａを提供でき、スタンドオフ２５９の位置まで延びる第二の端２５６ｂを提供できる。同様に、ライナの端２５８ａおよび２５８ｂもまた、スタンドオフ２５９まで延びることができる。
【００９２】
第一のエンドピース（例えば、キャップ）２５２は、外向きの面２７０を含む。図の実施形態において、外向きの面２７０は引込み領域２７２、移行領域２７４、およびシール領域２７６を含む。シール領域２７６は、すでに定義した波形壁シール部材面を有すると特徴付けることができる。
【００９３】
引込み領域２７２は一般に、フィルタカートリッジ２５０が吐出し管２００の中で適正に向き付けられ、シール領域２７６が波形壁２１０と正しく係合して半径方向のシール状態を作るようにするのを助ける。一般に、吐出し管２００（例えば、図１１）を含む空気清浄装置の修理交換中、第二のフィルタカートリッジ２５０が筐体内に導入され、それによって引込み領域２７２はベベル２３６と係合し、第一のエンドピース２５２上の複数のリッジ２７２ｒおよび谷２７２ｔが第二のフィルタエレメントのシール面２０４（図１０参照）上の対応する谷２２６およびリッジ２２４と係合する。図１４に示されるように、複数のリッジ２７２ｒと複数の谷２７２ｔは、引込み領域２７２から延びて移行領域２７４を通り、移行領域２７４を通ってそこでこれらはリッジ２７４ｒおよび谷２７４ｔとなり、シール領域２７６に入り、そこでこれらはリッジ２７６ｒおよび谷２７６ｔとなる。フィルタエレメント２５０の場合、リッジは一般に、半径方向に外側に突出して、かつ軸方向に延びる部分として特徴付けることができ、谷は一般に、半径方向に内側に突出して、かつ軸方向に延びる部分として特徴付けることができる。
【００９４】
引込み領域２７２は、フィルタエレメント２５０を吐出し管２００と正しく整列するのを助ける。正しく割り出されると、サービス業者は、フィルタ２５０が軸方向への挿入のために正しい位置にあることがわかる。移行領域２７４は、吐出し口２００の中でフィルタエレメント２５０をさらに正しい向きにして、フィルタエレメント２５０が吐出し管２００の中に完全に着座したときに、シール領域２７６が吐出し管２００と係合し、シール状態を作るようにするのに役立つ。移行領域２７４は、希望に応じた長さを有することができるが、移行部分２７４の目的は、引込み領域２７２からシール領域２７６へと移行しやすくするのを助けることである。移行領域２７４を省くことも可能である。このような状況では、シール部材は引込み領域２７２からシール領域２７６へと直接移行する。また、希望に応じて、引込み領域２７２は省くことができる。
【００９５】
シール領域２７０と第二のフィルタカートリッジのシール面２０４との間のシール状態を作るのを助けるために、リッジと谷は、領域の各々の中で変更することができる。例えば、引込み領域２７２と移行領域２７４において、谷の深さ、リッジの高さ、および／または谷とリッジとの間の壁の厚さは、吐出し管２００の中でのフィルタエレメント２５０を向き付け、挿入しやすくなるように調節できる。例えば、谷の深さは、引込み領域２７２と移行領域２７４において、シール領域２７６と比較して、より深くすることにより、谷２７２ｔおよび２７４ｔと吐出し管２００上の対応するピーク２２４との間の移動を容易にすることができる。同様に、リッジ２７２ｒおよび２７４ｒは、リッジ２７６ｒと比較して、より低い高さに提供することにより、フィルタエレメント２５０が吐出し管２００上の対応する谷２２６に関して移動しやすくなるようにすることができる。さらに、引込み領域２７２と移行領域２７４におけるローブの幅は、シール領域２７６と比較して、より小さくすることにより、フィルタエレメント２５０が吐出し管２００に関して移動しやすくなるようにするのを助けることができる。これらの特徴は、引込み領域２７２と移行領域２７４の全体を通じて調節することにより、シール領域２７６と第二のフィルタエレメントのシール面２０４との間にシール状態を作りやすくすることができる。
【００９６】
いくつかの実施形態において、フィルタカートリッジ２５０が波形壁２１０の第二のフィルタカートリッジのシール面２０４に挿入されると、シール領域２７６は第二のフィルタカートリッジのシール支持面２０４と接触して、それに沿ってスライドし、最終的に第二のフィルタカートリッジ２５０が複数の停止部材２１２と係合する。
【００９７】
ここで、図１８〜２０を参照すると、代替的なフィルタカートリッジまたはエレメント（例えば、二次または安全）が参照番号３００で示されている。フィルタカートリッジ３００はフィルタカートリッジ２５０と同様であるが、例外として、フィルタカートリッジ３００は第二のフィルタカートリッジのシール面２０４（図１０）とフィットし、また、第二のフィルタカートリッジのシール面が軸Ｘの周囲で円周に沿って均一である先行技術の吐出し管にもフィットするように構成されている。図の実施形態において、フィルタカートリッジ３００は第一のエンドピース（例えば、キャップ）３０２と、第二のエンドピース（例えば、キャップ）３０４と、第一のエンドキャップ３０２から第二のエンドキャップ３０４まで延びる濾材３０６と、濾材３０６を支持し、同じく第一のエンドキャップ３０２から第二のエンドキャップ３０４まで延びるライナ３０８と、を含む。第二のエンドキャップ３０４は閉鎖エンドキャップとして特徴付けることができ、エンドキャップ２５４と同様に提供できる。第一のエンドキャップ３０２は外向きの面３２０を含み、これもまた、引込み領域３２２、移行領域３２４、波形壁シール領域３２６、および周辺に沿って均一なシール領域３２８を含む。一般に、周辺に沿って均一な、半径方向のシール領域３２８の外周は、概して周辺に沿って均一なシール面を有する先行技術の吐出し管をシールするように構成される。一般に、周辺に沿って均一なシール面３２８の外周面は、波形壁シール領域３２６のピークと少なくとも同じ大きさの位置まで延びる。
【００９８】
フィルタ構成２５０と比較したフィルタエレメント構成３００の利点は、フィルタ構成３００が、図１０に示される吐出し管２００等の波形壁吐出し管と密着するため、および吐出し管が周辺に沿って均一な先行技術の吐出し管と密着するためにも使用できるという点である。その結果、フィルタエレメント３００は、本開示による新たな設計の空気清浄装置で使用でき、また、周辺に沿って均一な、半径方向のシール領域３２８と密着する大きさの吐出し管を有する先行技術の空気清浄装置でも使用可能である。フィルタエレメント３００は、自動車サービス業者が別々の空気清浄装置で使用できる１つのフィルタエレメントを在庫に持てることにおいて有利であるかもしれない。
【００９９】
ここで、図２１〜２３を参照すると、フィルタカートリッジまたはエレメント（例えば、一次、または主）が参照番号３５０で示されている。図のフィルタカートリッジ３５０は、第一のエンドピース（例えば、キャップ）３５２と、第二のエンドピース（例えば、キャップ）３５４と、濾材３５６と、ライナ３５８と、を含む。濾材３５６は、第一の端３５６ａと第二の端３５６ｂを含む。一般に、濾材の第一の端３５６ａは第一のエンドキャップ３５２に埋め込むことができ、濾材の第二の端３５６ｂは第二のエンドキャップ３５４に埋め込むことができる。それに加えて、ライナ３５８はライナの第一の端３５８ａとライナの第二の端３５８ｂを含む。ライナの第一の端３５８ａもまた、第一のエンドキャップ３５２に埋め込むことができ、ライナの第二の端３５８ｂを第二のエンドキャップ３５４に埋め込むことができる。それに加えて、濾材２５６はライナ２５８により支持されるように提供できる。濾材２５６は、円筒形または円錐形のプリーツ付き濾材として、または、中央の開放空間３６０を有するフィルタカートリッジ３５０を提供する他の何れのタイプの濾材構成としても提供できる。
【０１００】
ここで、図２４〜２５を参照すると、第一のエンドピース（例えば、キャップ）３５２が詳細に示されている。第一のエンドキャップ３５２はフィルタエレメントの中央開放空間３６０と連通する中央開放空間３６２を含む。したがって、第一のエンドキャップ３５２は開放エンドキャップ３６４として特徴付けることができる。これに対して、第二のエンドキャップ３５４は閉鎖エンドキャップ３６６として特徴付けることができる。動作中、濾過された空気は濾材３５６を通って中央開放空間３６０へと進み、その後、中央開放空間３６２を介してフィルタカートリッジ３５０の外に出る。第二のフィルタカートリッジ、例えばカートリッジ２５０または３００もまた筐体内に提供される場合、第二のフィルタカートリッジは中央開放空間３６０の中に配置され、濾材３５６を通過する空気はその後、濾材２５６を通って第二のフィルタカートリッジの開放空間２６４に入り、第一のエンドキャップの中央開放空間３６２を介して出る。
【０１０１】
開放エンドピース（例えば、キャップ）３６４は、第一の端３６７と、第二の端３６９と、第一の端３６７と第二の端３６９との間に延びる内面３７０とを含む。内面３７０は、中央開放空間３６２を形成し、波形壁２１０の第一のフィルタカートリッジのシール面２０２（例えば、図１０参照）と係合し、それと密着するように構成できる。内面３７０は、内向きの半径方向のシールを形成することができる。
【０１０２】
図の内面３７０は、引込み領域３７２と、任意選択による周辺に沿って均一な半径方向のシール領域３７８と、移行領域３７４と、周辺に沿って不均一な半径方向のシール領域３７６と、を含む。任意選択による周辺に沿って均一なシール半径方向のシール領域３７８は、フィルタエレメント３５０から省くことができ、フィルタエレメント３５０が波形壁筐体シール面（図１０の面２０２等）として特徴付けることのできるフィルタカートリッジのシール面と、軸Ｘの周囲で周辺に沿って均一なシール面を有する先行技術の空気清浄装置の吐出し管の両方にフィットすることが望ましい場合に提供される。フィルタカートリッジ３５０が任意選択による周辺に沿って均一な半径方向のシール領域３７８を含む場合、本開示により、波形壁筐体シール面を有する空気清浄装置と、周辺に沿って均一な半径方向のシール面を含む先行技術の空気清浄装置の両方のためのフィルタエレメントを在庫に持つことが可能であるかもしれない。
【０１０３】
引込み領域３７２、移行領域３７４、および周辺に沿って不均一な半径方向のシール領域３７６は、半径方向に内側に突出して、かつ軸方向に延びる複数の部分３９２と交互の、半径方向に外側に突出して、かつ軸方向に延びる複数の領域３９０を有すると特徴付けることができる。これらの部分３９０および３９２は、領域３７２、３７４、および３７６の各々に沿って軸方向に延びるが、領域３７８がある場合に領域３７８には沿わないように提供できる。半径方向に外側に突出して、かつ軸方向に延びる部分３９０は、谷３９４として特徴付けることができ、半径方向に内側に突出して、かつ軸方向に延びる部分３９２し、ピークまたはリッジ３９６として特徴付けることができる。隣接する谷３９４間のピーク３９６により形成されるローブ４００は、これらが第一のフィルタカートリッジのシール面２０２の中の対応する谷２２２（図１０）にフィットするように提供できる。同様に、谷３９４は、これらが第一のフィルタカートリッジのシール面２０２の中のピーク２２０により受けられるように提供される。理解すべき点として、「外側に」および「内側に」という場合、中心軸Ｘから反対に、またはそれに向かう方向を指す。それゆえ、外側に突出して、かつ軸方向に延びる部分３９０は谷３９４と呼ぶことができ、内側に突出して、かつ軸方向に延びる部分３９２はビーク３９６と呼ぶことができる。フィルタエレメント２５０および３００と同様に、谷３９４とピーク３９６の大きさと形状は、引込み領域３７２、移行領域３７４、および半径方向のシール領域３７６の全体を通じて変更し、調節することにより、フィルタエレメント３５０を吐出し管２００に関して割り出しやすくし、また、フィルタエレメント３５０を吐出し管２００に挿入しやすくすることができる。
【０１０４】
半径方向のシール領域３７６は波形壁シール部材面３９８を含み、これも複数のローブ４００を含む。前述のように、波形壁シール部材面は、ローブ４００のピークから隣接するピークまでの距離である「ピッチ」の点で特徴付けることができる。波形壁シール部材面３７６の場合、ピッチは隣接するピーク間の距離と定義できる。あるいは、ピッチは隣接する谷間の距離として定義できる。波形壁シール部材面３７６は、前述のようにサービス業者（フィルタエレメントの設置者）が筐体の中でフィルタエレメントを正しく割り出すことができ、フィルタエレメントを取り直す必要がないようなピッチを有すると特徴付けることができる。フィルタカートリッジ３５０が波形壁２１０に導入される際、引込み領域３７２が波形壁２１０と係合し、それによってフィルタカートリッジ３５０はさらに軸方向に挿入するための正しい向きに割り出される。周辺に沿って均一な半径方向のシール面３７８がある場合、これは軸方向に挿入し続けると、波形壁２１０と係合する。軸方向にさらに挿入すると、移行領域３７４が波形壁２１０と係合し、フィルタカートリッジ３５０をさらに向き付けるのを助け、半径方向のシール領域３７６に移行して波形壁２１０と係合しやすくし、そこで半径方向にシール状態が作られる。
【０１０５】
理解すべき点として、フィルタカートリッジ３５０の場合、周辺に沿って不均一な半径方向のシール面３７６と周辺に沿って均一な半径方向のシール面３７８（それがある場合）は開放エンドキャップ３６４の第一の端３６７から引っ込められている。さらに、シール面３７６および３７８は、濾材３５６の内部に提供されると特徴付けることができる。それに加えて、シール面３７６および３７８は、第一の端３６７から引っ込めることによって、シール面３７６および３７８はフィルタカートリッジ３５０が汚れた面の上に置かれたときにダストやデブリから保護される。例えば、シール面３７６および３７８は、第一の端３６７から少なくとも約１ミリメートル軸方向に引っ込めることができる。
【０１０６】
次に、図２６〜３２を参照し、代替的なフィルタアセンブリおよびフィルタカートリッジを代替的な濾材に関して説明する。フィルタカートリッジの波形壁シール部材面が対応するフィルタアセンブリの波形壁筐体シール面と係合するという概念が特徴付けられる。さらに、フィルタエレメントの波形壁シール部材面が非波形壁シール支持体により支持されるという概念も特徴付けられる。前述のローブとピッチの定義も、これらの代替的実施形態に適用される。
【０１０７】
ここで、図２６を参照すると、空気清浄装置アセンブリの一部の断面が参照番号４００で示されている。空気清浄装置アセンブリ４００は、空気清浄装置筐体４０２と第一フィルタエレメントまたはフィルタカートリッジ４０４を含む。筐体４０２の第一のフィルタカートリッジのシール面４０６と第一のフィルタカートリッジ４０４の半径方向のシール面４０８を除き、フィルタカートリッジ４０４は概して、米国特許第７，３９６，３７６号明細書の開示と同様とするこができ、その開示の全体を参照によって本願に援用する。第一のフィルタカートリッジのシール面４０６は、筐体４０２の内面４１０の周辺に沿って延びるように提供され、半径方向に内側に突出して、かつ軸方向に延びる部分４１６と交互の、半径方向に外側に突出して、かつ軸方向に延びる部分４１４を有する波形壁筐体シール面４１２を含む。同様に、フィルタカートリッジ４０４は、シール部材４２２がその上に成型により結合されているシール支持体４２０を含む。シール支持体４２０は、非波形壁シール支持体として特徴付けることができる。シール部材４２２の半径方向のシール面４０８も同様に、半径方向に内側に突出して、かつ軸方向に延びる複数の部分４２６と交互の、半径方向に外側に突出して、かつ軸方向に延びる複数の部分４２４を含む。シール部材４２２は引込み領域４２８を含むことができ、これはフィルタカートリッジ４０４を筐体４０２と整列させるのに役立つ。引込み領域４２８は、半径方向に外側に突出して、かつ軸方向に延びる複数の部分４１４におけるベベル４３０を含むことができ、これは第一のフィルタカートリッジのシール面４０６と正しく係合するのを助ける。フィルタカートリッジ４０４が筐体４０２内に完全に挿入されると、半径方向のシール面４０８は第一のフィルタカートリッジのシール面４０６と係合して、シール状態を作る。半径方向のシール面４０８は、外向きの半径方向のシール面として特徴付けることができる。
【０１０８】
吸込み流面４５２および反対の吐出し流面４５４を持つＺ型濾材４５０を有するフィルタカートリッジ４０４を提供できる。吐出し流面４５４を覆うようにシール支持構造４５６を提供でき、これは吐出し流面４５４を覆うように延びる格子装置４５７と、シール部材４２２を支持するシール支持体４２０を含むことができる。シール部材４２２は、シール支持体４２０の上および濾材パックの周辺４５８に成型により結合できる。それに加えて、フィルタエレメント４０４は、吸込み流面４５４の付近に配置されたエンドピース（例えば、フレーム）４６０を含むことができる。エンドピース４６０は空気清浄装置筐体４０２にフィルタカートリッジ４０４を挿入し、またはそこから取り外すのを助けるために使用できる。
【０１０９】
次に、図２７を参照すると、空気清浄装置４００は空気吸込み領域４７０が追加されている点を除いて図２６に示されるものと同様である。空気吸込み領域４７０は、プレクリーナ４７２と呼ぶことができ、複数の遠心分離手段４７４を含み、これは第一の端４７６から空気を受け、複数の遠心分離手段４７２を通じて空気を旋回させることにより、大型の粒子を取り除き、その後、プリクリーニングされた空気をプレクリーナ出口４７８から排出させる。ブリクリーナの出口４７８からのプレクリーニングされた空気は次に、第一のフィルタカートリッジ４０４の吸込み流面４５２に流入する。大型の粒子を除去するために、捕集剤４８０を提供できる。図２７に示されるように、フィルタカートリッジ４０４上の半径方向のシール面４０８は、筐体４０２の第一のフィルタカートリッジのシール面４０６とシール関係にある。
【０１１０】
次に、図２８〜３１を参照すると、代替的な空気清浄装置アセンブリが参照番号５００で示されている。空気清浄装置アセンブリ５００は、いくつかの点において空気清浄装置アセンブリ４００と同様である。空気清浄装置アセンブリ５０２は波形壁５０５を含み、これは第一のフィルタカートリッジ波形壁シール面５０６と第二のフィルタカートリッジ波形壁シール面５０７を有する。第一のフィルタカートリッジ５０４はシール部材５１０を含み、これは内向きの半径方向シール面として構成される波形壁シール部材面５１２を有する。フィルタエレメントの波形壁シール部材面５１２は、波形壁筐体シール面５０６と係合するように構成される。同様に、第二のフィルタカートリッジ５２０はシール部材５２２を含み、これは外向きの半径方向のシールとして提供される波形壁シール部材面５２４を有する。波形壁シール部材面５２４は、波形壁筐体シール面５０７と係合するように構成される。
【０１１１】
第一のフィルタエレメント５０４は、シール支持体５３０、巻き取られたフルート付き濾材５３２、エンドピース（例えば、フレーム）５３４、および交差筋交い５３６を有して構成できる。濾材パック５３２には、吸込み流面５３８と吐出し流面５３９を提供できる。第二のフィルタカートリッジ５２０は、プリーツ濾材５４０と、プリーツ濾材のほかシール部材５２２も支持する支持構造５４２を含むように示されている。
【０１１２】
次に、図３２を参照すると、プリクリーナアセンブリ５８２が追加されている点を除き、空気清浄装置アセンブリ５００と同様の代替的な空気清浄装置アセンブリ５８０が提供される。プレクリーナ４７２と同様の構造を持つプレクリーナアセンブリ５８２を提供できる。
【０１１３】
濾材のために選択される特定の材料は、選択された用途に応じた選択の問題である。フィルタアセンブリが空気清浄装置である場合、本開示の原理では空気清浄装置で使用される様々な濾材材料の何れでも使用できる。
【０１１４】
濾材パックは濾材だけを含むことができ、または濾材に内側および／または外側ライナを設けてからカートリッジに取り付けることもできる。濾材は、プリーツ付き、プリーツなし、または織物濾材とすることができるが、追加の代替案も可能である。濾材は、円筒形および円錐形を含む様々な構成と、例えば円形または楕円形の様々な内側および／または外側周辺形状で提供できる。
【０１１５】
装置のシールは時として「半径方向に」と特徴付けられる点に留意されたい。しかしながら、非円形の形状である結果として、シーリング力の一部は特にカートリッジの中心軸Ｘに向かう、またはそこから反対ではない方向となるであろう。それでも、シールは本明細書においては「半径方向」として特徴付けられ、それは一般に、カートリッジおよび筐体のシール面が概して半径方向を向き、シーリング力が、外向きまたは内向きのシーリング面の何れが関わるかに応じて、軸Ｘの周囲で半径方向に外向きか、半径方向に内向きであるからである。別の言い方をすれば、圧縮力は概して軸方向（すなわち、軸Ｘの長さ方向）ではなく、概して半径方向である。しかしながら、これらの非円形構成の各々において、シール力が直接軸Ｘに向かうか、そこから反対に配向されることはない。
【０１１６】
より一般的に言えば、半径方向のシールは中心軸を取り囲む（そこに向かうか、それと反対の）シール面を含む。多くの例でのこの中心軸は、その周囲に濾材も位置付けられるフィルタカートリッジの中心軸を含む。しかしながら、本明細書で後述する代替的な配置から、半径方向のシールはカートリッジの中心軸ではない軸を取り囲むシールとすることができる（これに対して、軸方向のシールは典型的に、その周囲にシールが配置される中心軸とも整列するシールであるが、いつでもカートリッジ中心軸Ｘとも一致するとはかぎらない）と理解されよう。
【０１１７】
本明細書で使用されている一般的な用語において、図に示された各種の筐体シール配置は一般に、半径方向を向くシール面を含むと特徴付けることもでき、これは、図に示される各種の筐体シールのためのシール方向が一般に、筐体のある部分（これは、筐体シールの２つの何れが関わるかに応じて、筐体の吐出し管の一部または外側部分）と係合するシールの面が概して「半径方向を向く面」として特徴付けることができるからである。各々の場合において、実際にシールを形成する面は、概してシール力が中心軸Ｘの長さ方向に向かう場合の軸方向のシールとは異なり、中心軸Ｘ（典型的に、カートリッジ中心軸でもある）の周囲に（およびそこに向かって、またはその反対に面して）方向付けられる。図の例は、カートリッジのシール部材の、筐体と係合してシール状態を形成する実際の面は概して、軸に向かうのではなく、カートリッジの中心軸から反対に向くため、「外に向かう半径方向のシール面」または「外向きの半径方向シール」である。しかしながら、本明細書記載の原理の多くは、カートリッジの、筐体と係合してシール状態を形成するシール面が半径方向に中心軸に向かって方向付けられる代替的な配置に当てはまる。
【０１１８】
半径方向の筐体シールは本明細書において、概して「クランプなし」、「ノークランプ」または「クランプレス」配置または同様の用語で特徴付けることができる。これによって、シール配置は典型的に、ホースクランプ等のクランプまたは、確実なシールを提供するために締める必要のあるその他の構造を使用しないことを意味する。むしろ、シールは単に取り付けることによって確立され、筐体の面に対するシール材料の圧縮がカートリッジのコンポーネントによって方向付けられる。
【０１１９】
本明細書に記載の原理は、様々なフィルタアセンブリに応用できる。原理が（空気）気体フィルタアセンブリに応用される例について説明される。エアフィルタおよびクランクケース換気フィルタアセンブリを含む例について説明される。原理は、様々な代替的な気体フィルタ装置に、場合によっては液体フィルタアセンブリにも応用できる。
【０１２０】
本開示による原理は、後述のような特定の選択された所望の結果を実現するために有利な方法によるフィルタカートリッジと空気清浄装置システムとの間の相互作用に関する。フィルタカートリッジは一般に、その中に濾材を含み、そこを濾過動作中に空気およびその他の気体が通過する。濾材は、様々な種類と構成とすることができ、様々な材料を使って製作できる。例えば、本開示の原理によるカートリッジには、後述のように、プリーツ付き濾材装置を使用できる。
【０１２１】
この原理は、カートリッジの入口側および出口側端間の範囲で濾材がかなり深い状況での使用に特によく適応されているが、他の選択肢もありうる。また、この原理は断面寸法が比較的大きいカートリッジにおいてよく使用される。このような装置では、プリーツ付き濾材に代わる種類の濾材が望ましいことが多い。
【０１２２】
この項では、本明細書に記載されている技術に使用可能ないくつかの濾材装置の例を挙げる。しかしながら、様々な代替的種類の濾材が使用可能であることがわかるであろう。濾材の種類の選択は一般に、入手可能性、ある使用状況での機能、製造しやすさ等の選好のうちの１つであり、選択は必ずしも本明細書で特徴付けられるフィルタカートリッジと空気清浄装置との相互作用の様々な特徴の中から選択されたものの全体的機能に関しているとはかぎらない。
【０１２３】
フルート付濾材（例えば、濾材畝部を有する濾材）は、各種の方法で流体フィルタ構造物を提供するために使用できる。１つのよく知られている方法は、本明細書において、Ｚ型フィルタ構造物として特徴付けられる。「Ｚ型フィルタ構造物」という用語は、本明細書で使用されるかぎり、積層された、折り畳まれた、またはその他の方法で形成されたフィルタのフルートのひとつひとつが、長さ方向の、典型的に平行な、濾材を通る流体流のための吸入および排出フィルタフルートの集合（典型的にはライナ濾材と組み合わされる）を定義するために使用される種類のフィルタ構造物を含むものとする（ただし、これに限定されない）。Ｚ型濾材のいくつかの例が、米国特許第５，８２０，６４６号明細書、同第５，７７２，８８３号明細書、同第５，９０２，３６４号明細書、同第５，７９２，２４７号明細書、同第５，８９５，５７４号明細書、同第６，２１０，４６９号明細書、同第６，１９０，４３２号明細書、同第６，３５０，２９６号明細書、同第６，１７９，８９０号明細書、同第６，２３５，１９５号明細書、米国意匠特許第３９９，９４４号明細書、米国意匠特許第４２８，１２８号明細書、米国意匠特許第３９６，０９８号明細書、米国意匠特許第３９８，０４６号明細書、および米国意匠特許第４３７，４０１号明細書において提供されており、これらの引用文献の各々を参照によって本願に援用する。
【０１２４】
１つの種類のＺ型濾材は、相互に結合されて濾材構造物を形成する２つの特定の濾材コンポーネントを利用する。２つのコンポーネントとは、（１）フルート付き（典型的に波形の）濾材シートまたはシート切片と、（２）ライナ濾材シートまたはシート切片である。ライン濾材シートは典型的には波形でないが、例えばフルートの方向に垂直な波形とすることもでき、これは２００４年２月１１日に出願され、２００５年８月２５日にＰＣＴ国際公開第０５／０７７４８７号パンフレットとして公開されている米国仮特許出願第６０／５４３，８０４号明細書に記載されており、これを参照によって本願に援用する。
【０１２５】
フルート付き濾材切片とライナ濾材切片は、相互間に別の材料を含むことができる。しかしながら、これらはまた、１枚の濾材シートを折り畳んで、ライナ濾材の材料が濾材のうちのフルート付き濾材部分と適切に隣り合わせとなるようにしたものの切片とすることができる。
【０１２６】
フルート付き（典型的に波形の）濾材シートとライナ濾材シートまたは合体シート切片は、平行なフルートを有する濾材を画定するために典型的に使用される。いくつかの例において、フルート付きシートとライナシートは別々であり、その後、相互に固定され、その後、濾材条片として巻き取られ、Ｚ型濾材構造物が形成される。このような装置は、例えば米国特許第６，２３５，１９５号明細書および第６，１７９，８９０号明細書に記載されており、その各々を参照によって本願に援用する。特定のその他の装置では、ライナ濾材に固定されたフルート付き（典型的に波形の）濾材のうち、巻き取られていない切片または条片のいくつかを相互に積み重ねてフィルタ構造物が構築される。この例は米国特許第５，８２０，６４６号明細書の図１１に示されており、これを参照によって本願に援用する。
【０１２７】
ここで、波形シートに固定されたフルート付きシート（畝部を有する濾材シート）を含む材料の条片はその後、積層体として組み立てられて濾材パックを形成し、これは「シングルフェーサ条片」、「シングルフェース条片」、または「シングルフェーサ」もしくは「シングルフェース」濾材と呼ばれることがある。これらの用語とその変化形は、各条片において、フルート付き（典型的には波形の）シートの片面、すなわちシングルフェースにライナシートが張られていることを意味する。
【０１２８】
典型的に、フルート付きシートとライナシートの（すなわちシングルフェーサの）組合せの条片を巻き取ってロール型濾材パックを構築することは、ライナシートが外側になるようにして行われる。巻き上げのためのいくつかの方法が、２００３年５月２日に出願された米国仮特許出願第６０／４６７，５２１号明細書および２００４年３月１７日に出願され、現在は国際公開第０４／０８２７９５号パンフレットとして公開されているＰＣＴ出願第０４／０７９２７号明細書に記載されており、その各々を参照によって本願に援用する。その結果として得られるロール型の装置は一般に、その結果、濾材パックの外面としてライナシートの一部を有する。
【０１２９】
「波形の」という用語は、本明細書において濾材内の構造を指すために使用されるかぎり、各々が最終的な濾材に波形を付けるのに適した表面特徴物を有する２つの波形ローラ間、すなわち２つのローラのニップまたは咥えの中に濾材を通すことから得られる波形構造を指す。しかしながら、「波形」という用語は、これらが波形ローラ間の咥えの中に媒体を通すことを含む方式によるフルートによるものと明記されていないかぎり、このようなフルートに限定されない。「波形の」という用語は、濾材が波形にされた後に、例えば参照によって本願に援用される２００４年１月２２日に公開されたＰＣＴ国際公開第０４／００７０５４号パンフレットに記載されている折畳み方式によってさらに変更または変形された場合にも当てはまるものとする。
【０１３０】
波形濾材は、フルート付き濾材の特定の形態である。フルート付き濾材は、それを横切る（例えば波形加工または折畳み加工によって形成された）個々のフルートまたは畝部を有する濾材である。
【０１３１】
Ｚ型濾材を利用する修理交換可能なフィルタエレメントまたはフィルタカートリッジ構成は、「直線的流動構成」として、またはその変化形で呼ばれることがある。一般に、これに関しては、修理交換可能なフィルタエレメントまたはカートリッジが一般に、吸気端（または面）およびそれと反対の排気端（または面）を有し、フィルタカートリッジへの流入とそこからの流出が概して同じ直線的方向であることを意味する。これに関して、「修理交換可能」という用語は、対応する流体（例えば空気）清浄装置から定期的に取り外され、交換されるフィルタカートリッジを含む濾材を指すものとする。いくつかの例において、吸気端（または面）と排気端（または面）の各々は概して平らまたは平坦であり、両者は相互に平行である。しかしながら、その変形型、例えば平坦でない面も可能である。
【０１３２】
直線的流動構成（特に、ロール型または積層型濾材パックについて）は例えば、参照によって本願に援用される米国特許第６，０３９．７７８号明細書に示されている種類の円筒形プリーツ付きフィルタカートリッジ等、流れが一般に、濾材に入る時とそこから出る時に実質的に方向転換する修理点検可能フィルタカートリッジとは対照的である。すなわち、米国特許第６，０３９，７７８号明細書のフィルタの場合、流れは円筒形フィルタカートリッジの中に円筒側面から入り、その後、方向転換して、濾材の開放端から出る（順流システム）。典型的な逆流システムでは、流れは修理交換可能な円筒形カートリッジに濾材の開放端から入り、その後、方向転換して、円筒形濾材の側面から出る。このような逆流システムの一例が、米国特許第５，６１３，９９２号明細書に示されており、これを参照によって本願に援用する。
【０１３３】
「Ｚ型濾材構成」という用語とその変化形は、本明細書中で使用されるかぎり、それ以上のものがなければ、波形またはその他の方法でフルートの付いた濾材（濾材畝部を有する濾材）が（ライナ）濾材に固定され、シートが別々であるか１枚のウェブの一部であるかを問わず、適当なシーリング（閉鎖部）を有して吸気および排気フルートを画定できるようなウェブ、および／またはこのような濾材から吸気および排気フルートの立体網状構造に構成または形成された濾材パック、および／またはこのような濾材パックを含むフィルタカートリッジまたは構造体の何れかまたは全部を含むものするが、必ずしもこれらに限定されない。
【０１３４】
一般に、濾材は比較的柔軟な材料、典型的には（セルロース繊維、合成繊維、またこれら両方の）不織布繊維材料であり、その中に樹脂を含んでいることが多く、追加の材料で処理されていることもある。それゆえ、これは、濾材に容認不能な損傷を与えずに、それを様々な波形パターンに合わせ、その中に組み込むことができる。また、使用するために巻き上げ、またはその他の方法で構成することも容易であり、その際もまた、容認不能な濾材の損傷は生じない。もちろん、これは、使用中には必要な波形状態が保たれるような性質のものでなければならない。
【０１３５】
典型的に、波形にするプロセスでは変形が媒体に加えられる。張力が解除されると、フルートまたは波形は部分的に跳ね戻る傾向があり、それまでに生じていた延びと曲げの一部のみ復元する。波形シートのこのような跳ね戻りを防止するために、ライナ濾材シートがフルート付濾材シートに連結されることがある。
【０１３６】
波形（フルート付き）シート、ライナシート、またはそれらの両方の濾材では、例えば参照によって本願に援用される米国特許第６，６７３，１３６号明細書により、その片面または両面に微細繊維材料を提供できる。いくつかの例において、このような微細繊維材料が使用される場合、微細繊維を材料の上流側に提供することが望ましいかもしれない。
【０１３７】
Ｚ型フィルタ構造体に関する問題は、個々のフルートの端の閉鎖に関係する。他の選択肢もありうるが、典型的には、この閉鎖を実現するためにシーラントまたは接着剤が提供される。上述の開示から明らかであるように、典型的なＺ型濾材、特にテーパ付フルートではなくまっすぐのフルートとフルートを密閉のためのシーラントを使用するものにおいて、上流端と下流端の両方に大きなシーラント表面積（および体積）が必要となる。これらの位置における高品質のシールは、結果として得られる濾材構造の適正な動作にとって重要である。大きいシーラント体積と面積は、これに関する問題の原因となる。
【０１３８】
本明細書に記載の技術は、波形シートとライナシートの組合せを含む１枚のシート、すなわち「シングルフェーサ」条片を巻き上げるステップから得られる濾材パックでの使用に特によく適している。しかしながら、これらは、積層構成にすることもできる。
【０１３９】
ロール型濾材または濾材パック構成には、様々な外周の定義を提供できる。これに関して、「外周の定義」という用語またはその変形は、濾材または濾材パックの入口端または出口端の何れかにおいて見たときの、定義された外周形状を指すものとする。典型的な形状は、ＰＣＴ国際公開第０４／００７０５４号パンフレットに記載されているように円形である。その他の使用可能な形状は長丸であり、長丸のいくつかの例は楕円形である。一般に、楕円形は１対の対向する辺でつなげられた対向する湾曲端を有する。いくつかの楕円形において、対向する面もまた湾曲している。トラック形とも呼ばれる他の楕円形では、対向する辺は概してまっすぐである。トラック形は、例えばＰＣＴ国際公開第０４／００７０５４号パンフレットおよび、国際公開第０４／０８２７９５号パンフレットとして公開されているＰＣＴ出願第０４／０７９２７号明細書に記載されており、その各々を参照によって本願に援用する。
【０１４０】
周辺または外周形状を説明する別の方法は、濾材パックをロールの巻き上げ口に垂直な方向に切断することから得られる外周を定義することによる。
【０１４１】
濾材または濾材パックの相互に反対の吸排気端または吸排気面には、様々な異なる定義を提供できる。多くの構成において、端または端面は概して平ら（平坦）であり、相互に垂直である。他の構成において、端面の一方または両方が、テーパの付いた、例えば階段状の部分を含み、これは濾材パックの側壁の軸方向の端から軸方向に外側に突出するか、または濾材パックの側壁の端から軸方向に内側に突出するかの何れかとして定義できる。
【０１４２】
フルートシール（例えば、シングルフェーサビード、巻き上げビード、または積層ビードから）は、様々な材料で形成できる。引用され、援用される各種の文献において、ホットメルトまたはポリウレタンシールが様々な用途に使用可能であると記載されている。
【０１４３】
図３３では、シングルフェース濾材の１つの条片を巻き上げることにより構成されるロール型濾材パック（またはロール型濾材）８３０が概して描かれている。図のような特定のロール型濾材パックは、楕円濾材パック８３０ａ、特にトラック形濾材パック８３１である。濾材の後端は、濾材パック８３０の外側にあり、８３１ｘで示されている。便宜と密閉のために、終端を濾材パック８３０のまっすぐな部分に沿って終了させることが典型的である。典型的に、ホットメルトシールビートまたはシールビードは、シーリングを確実に行うために、この終端に沿って位置付けられる。濾材パック８３０において、相互に反対の吸排気（端）面は８３２、８３３に示されている。一方は入口側吸気面、他方は出口側排気面である。
【０１４４】
図３４において、Ｚ型フィルタ濾材の条片から積層Ｚ型フィルタ濾材（または濾材パック）を形成するステップが（概略的に）示されており、各条片はライナシートに固定されたフルート付シートである。図３３を参照すると、シングルフェーサ条片２００は、条片２００と同様の条片２０２の積層体２０１に加えられているように示されている。条片２００は、条片７６、７７の何れかから切断できる。図３３の２０５で、積層ビード２０６の塗布が、シングルフェーサビードまたはシールから反対の端において条片２００、２０２に対応する各々の層間に示されている。（積層はまた、各層を積層体の上ではなく下に追加して行うこともできる。）
【０１４５】
図３４を参照すると、各条片２００、２０２は前縁と後縁２０７、２０８および対向する側縁２０９ａ、２０９ｂを有する。各条片２００、２０２を含む波形シートとライナシートの組合せの入口および出口フルートは概して、前および後縁２０７、２０８との間に、側縁２０９ａ、２０９ｂに平行に延びる。
【０１４６】
さらに図３４を参照すると、形成されている濾材または濾材パック２０１において、相互に反対側の吸排気面が２１０、２１１で示されている。濾過中にどちらの面２１０、２１１を入口端面とし、どちらを出口端面とするかは、選択できる。いくつかの例において、積層ビード２０６は、上流、すなわち入口面２１１の付近に位置付けられ、他の例では、逆もまた真なりである。吸排気面２１０、２１１は、相互に反対側の面２２０、２２１間に延びる。
【０１４７】
積層された濾材構成またはパック２０１は、「ブロック型」積層濾材パックと呼ばれることがある。これに関する「ブロック型」という用語は、構成が、すべての面がすべての隣接する壁面に関して９０°である長方形のブロックとして形成されることを示す。いくつかの例において、積層体は、各条片２００が隣接する条片との整列からわずかにずらされて、入口面と出口面は相互に平行であるが、上下の面に対しては垂直でない平行四辺形または傾斜ブロック形状を作ることによって形成できる。
【０１４８】
いくつかの例において、濾材または濾材パックは何れの断面においても平行四辺形を有すると述べられ、これは、何れの対向する２面も相互に概して平行に延びることを意味する。
【０１４９】
留意される点として、図３４に対応するブロック型の積層構成は、米国特許第５，８２０，６４６号明細書の先行文献に記載されており、これを参照によって本願に援用する。また、留意される点として、積層構成は米国特許第５，７７２，８８３号明細書、同第５，７９２，２４７号明細書、および米国特許出願公開第２００４／０１８７６８９号明細書に記載されている。これらの後者の参考文献の各々を参照によって本願に援用する。留意される点として、米国特許出願公開第２００５／０１３０５０８号明細書に記載されている積層構成は傾斜した積層構成である。
【０１５０】
同じく留意される点として、いくつかの例において、複数の積層体を１つの濾材パックに組み込むことができる。また、いくつかの例において、積層体はその中に凹部を有する１つまたは複数の吸排気面を有するように生成でき、これは例えば米国特許第７，６２５，４１９号明細書に示されており、これを参照によって本願に援用する。
【０１５１】
両端間に延びるフルートを含む別の種類の濾材構成またはパックが、本開示による選択された原理と共に使用できる。このような代替的濾材構成またはパックの一例が図３５〜３５Ｂに示されている。図３５〜３５Ｂの媒体は、独国特許第２０  ２００８  ０１７  ０５９  Ｕ１号明細書に描かれ、記載されているものと同様であり、Ｍａｎｎ  ＆  Ｈｕｍｍｅｌから「ＩＱＯＲＯＮ」の商標で入手可能な構成の中に見られることがある。
【０１５２】
図３５を参照すると、濾材または濾材パックが概して１２５０で示されている。濾材または濾材パック１２５０は、第一の外側プリーツ付（畝付）濾材ループ１２５１と、第二の内側プリーツ付（畝付）濾材ループ１２５２と、を含み、各々のプリーツ先端（または畝）は相互に反対側の吸排気端間に延びる。図３５の図は、濾材パックの（吸排気）端１２５５に向かっている。図の端１２５５は、選択された流れの方向に応じて、入口（吸気）端とも出口（排気）端ともなりうる。特徴付けられた原理を用いた多くの構成に関して、濾材パック１２５０は、フィルタカートリッジの中で、端１２５５が入口吸気端であるように構成されるであろう。
【０１５３】
さらに図３５を参照すると、外側プリーツ付（畝付）濾材ループ１２５１は、楕円形に構成されているが、他の選択肢もありうる。１２６０において、例えばモールド・イン・プレース加工によるプリーツ端閉鎖手段が、濾材パック端部１２５５でプリーツまたは畝１２５１の端を閉じているように示されている。
【０１５４】
プリーツまたは畝１２５２（およびそれに関連するプリーツ先端）は、ループ１２５１によって取り囲まれ、そこから離間されるように位置付けられ、それゆえ、プリーツ付濾材ループ１２５２もまた略楕円形に示されている。この例において、ループ１２５２内の個々のプリーツまたは畝１２５２ｐの端１２５２ｅが密閉されている。また、ループ１２５２は、典型的にモールド・イン・プレース加工による材料の中央条片１２５３によって閉鎖された中央１２５２ｃを取り囲む。
【０１５５】
濾過中に、端１２５５が入口吸気端である場合、空気は２つの濾材ループ１２５１、１２５２間のギャップ１２６５に入る。次に空気は、濾材パック１２５０の中を移動しながらループ１２５１またはループ１２５２の何れかを通って流れ、濾過される。
【０１５６】
図の例において、ループ１２５１は、端１２５５から離れた領域で、ループ１２５２に向かって内側に傾斜するように構成される。また、構造健全性のために、ループ１２５２の端を取り囲むセンタリングリング１２６７を支持するスペーサ１２６６も示されている。
【０１５７】
図３５Ａでは、カートリッジ１２５０の、端１２５５と反対の端１２５６が見えている。ここで、ループ１２５２の内部が開放したガス流領域１２７０を取り囲んでいることがわかる。空気がカートリッジ１２５０を通って端１２５６に向かい、端１２５５から離れる全体的方向に案内されると、空気のうち、ループ１２５２を通過する部分が中央領域１２７０に入り、そこから端１２５６を通って出る。もちろん、濾過中にループ１２５１に入った空気は概して、端１２５６の外周１２５６ｐの周囲を（それを覆うように）流れる。
【０１５８】
図３５Ｂにおいて、カートリッジ１２５０の概略断面図が提供される。特定され、説明された特徴のうち選択されたものは同様の参照番号で示されている。
【０１５９】
図３５〜３５Ｂの上記の説明からわかるように、記載されているカートリッジ１２５０は概して両方の吸排気端１２５５、１２５６間に長手方向に延びる濾材先端を有するカートリッジである。
【０１６０】
図３５〜３５Ｂの構成において、濾材パック１２５０は楕円形、特にトラック形外周を有するように描かれている。このようにして示されているのは、後述の多くの例におけるエアフィルタカートリッジも楕円形またはトラック形構成であるからである。しかしながら、この原理は様々な代替的な外周形状で具現化することができる。
【０１６１】
ここで、図３６〜４１において、本明細書中で特徴付けられる原理の選択された応用の中で使用可能な種類の濾材のさらにまた別の代替的変形型の断面図が提供されている。特定の例は、２０１４年１１月１０に出願された、本開示の譲受人であるＤｏｎａｌｄｓｏｎ  Ｃｏｍｐａｎｙ，Ｉｎｃ．が所有する米国特許出願第６２／０７７，７４９号明細書に記載されている。米国特許出願第６２／０７７，７４９号明細書の開示を参照によって本願に援用する。一般に、図９〜１２の構成の各々は、相互に反対の入口および出口吸排気端（または面）を有し、まっすぐの通過流を有する構成に積層またはロール状に巻き上げることのできる濾材の種類を示している。
【０１６２】
図３６において、米国特許出願第６２／０７７，７４９号明細書からの例示的濾材構成１３０１が示されており、その中ではエンボスシート１３０２がエンボスのないシート１３０３に固定され、その後、積層し、または巻き上げて濾材パックが形成され、本願の図１に関してすでに説明した種類の対向する辺に沿ってシールされる。
【０１６３】
図３７において、米国特許出願第６２／０７７，７４９号明細書からの別の例示的濾材パック１３１０が示されており、その中では第一のエンボスシート１３１１が第二のエンボスシート１３１２に固定され、その後、積層型またはロール型濾材パック構成に形成され、縁部がシールされる。
【０１６４】
縁部シールは、上流端または下流端の何れかで、またはいくつかの例においてはその両方で実行できる。特に濾材がフィタリング中に化学物質と遭遇する可能性がある場合、典型的な接着剤またはシーラントを避けることが望ましいかもしれない。
【０１６５】
図３８Ａにおいて、フルート付きシートＸがその上に、ライナシートＹと係合するための各種のエンボス加工部を有する断面が示されている。再び、これらは別々とすることも、または同じ濾材シートの切片とすることもできる。
【０１６６】
図３８Ｂにおいて、フルート付きシートＸとライナシートＹとの間のこのような構成の概略図も示されている。
【０１６７】
図３８Ｃにおいて、このような原理のまた別の変形型がフルート付きシートＸとライナシートＹとの間に示されている。これらは、様々な方式がどのように可能であるかを理解しやすくするためのものである。
【０１６８】
図３９において、フルート付きシートＸとライナシートＹにおけるさらに別の可能な変形型が示されている。
【０１６９】
図４０および４１において、例示的な濾材構成６４０１が示されており、その中で、フルート付きシート６４０２がライナシート６４０３に固定されている。ライナシート６４０３は平坦シートであってもよい。その後、濾材構成６４０１を積層され、または巻き上げることによって濾材パックとすることができ、本願の図１に関して前述した種類の対向する縁に沿ったシールが設けられる。図の実施形態において、フルートシート６４０２のフルート６４０４は、一連の頂点６４０５と支持部６４０６を含む波状にうねる稜線を有する。隣接するフルート６４０４の頂点６４０５は、図６４および６５に示されていように整列させることも、またはずらすこともできる。さらに、頂点の高さおよび／または密度をフルート６４０４の長さに沿って増大させることも、減少させることも、または一定とすることもできる。頂点におけるフルート高さと支持部におけるフルートの高さの比は、約１．５〜１対１．１対約１の範囲とすることができる。
【０１７０】
留意される点として、フルート付きシート切片とライナシート切片に同じ濾材を使用するという要求事項は特にない。各々において、異なる効果を得るために、異なる濾材が望ましいい可能性もある。例えば、一方はセルロース濾材であってもよく、他方は何れかのセルロース以外の繊維を含む濾材である。これらには、所望の結果を得るために、異なる気孔率または異なる構造的特徴が付与されていてもよい。
【０１７１】
本願で特徴付けられている技術の多くは、好ましくは、カートリッジの相互に反対側の吸排気端間で濾過する向きの濾材が、これら両端間のある方向に延びるフルートまたはプリーツ先端を有する濾材である場合に適用される。しかしながら、他の選択肢もありうる。シール構成の定義に関して本願で特徴付けられる技術は、相互に反対の吸排気端を有し、濾材がこれらの端間の流体の流れを濾過するように位置付けられたフィルタカートリッジにおいて、濾材がこれらの端の間のある方向に延びるフルートまたはプリーツ先端を含まない場合であっても応用可能である。濾材は例えば、デプスタイプ濾材とすることができ、交互方向にプリーツを付けることができ、またはプリーツを持たない材料とすることもできる。
【０１７２】
本願で特徴付けられる技術は、吸排気端間の範囲が比較的深く、通常、少なくとも１００ｍｍ、典型的に少なくとも１５０ｍｍ、多くの場合に少なくも２００ｍｍ、時には少なくとも２５０ｍｍ、およびいくつかの例においては３００ｍｍまたはそれ以上であり、使用中に大きな負荷体積を処理するように構成されたカートリッジと使用できる。これらのタイプのシステムは典型的に、プリーツ先端またはフルートが相互に反対側の吸排気端間である方向に延びるような濾材が構成されるものである。
【０１７３】
次に、図４２Ａおよび４２Ｂを参照すると、図１０〜１３に示される波形壁２１０を有する空気清浄装置アセンブリで使用可能な代替的なフィルタエレメントが参照番号９００で示されている。フィルタエレメント９００は、円筒形に配置された濾材パック９０２と、閉鎖エンドキャップ９０４と、開放エンドキャップ９０６を含む。濾材パックは好ましくは、濾材パック９０２の支持を助けるための、内側スクリーンまたは支持構造９０８と外側スクリーンまたは支持構造９１０を含む。好ましくは、濾材パック９０２はプリーツ付き濾材パックであり、スクリーンまたは支持構造９０８および９１０は閉鎖エンドキャップ９０４から開放エンドキャップ９０６まで延びる。濾材パック９０２は中央開放空間９１２の周囲に配置され、開放エンドキャップ９０６は中央開放空間９１２と連通する中央開口９１４を含む。閉鎖エンドキャップ９０４は閉じられて、そこを空気が流れ、開放エンドキャップ９０６は開いて、空気が中央開口９１４を通って流れる。前述のように、濾過すべき流体（空気等）は、濾材パック９０２を通って内側に流れることができ、清浄な空気は中央穴９１４を通って中央開放空間９１２から流れることができる。あるいは、流れを逆流させて、汚れた流体が中央穴９１４と中央開放空間９１２を介して入り、その後、濾材９０２を通過して、濾過され、その後濾材パック９０２から出るようにすることができる。
【０１７４】
開放エンドキャップ９０６はシール部材９１６を含む。内側スクリーンまたは支持構造９０８は、シール部材９１６のための支持体９２０を形成するが、内側スクリーンまたは支持構造９０８とは別の支持体を提供することもできる。内向きの半径方向のシール面として特徴付けることのできるシール面９１８を有するシール部材９１６が示されている。これに加えて、シール部材９１６は、引込み領域９２２と移行領域９２４を含むことができる。内向きのシールの場合、内周は引込領域９２２から移行領域９２４へと、およびフィルタエレメント９００が筐体から別に提供されている場合はシール面９１８へと減少する。引込み領域９２２と移行領域９２４は、シール面９１８を波形壁２１０をそのまま写し取る構成にして、それが波形壁２１０を含む空気清浄装置に挿入されたときに波形壁２１０と密着するようにするのを助ける。
【０１７５】
開放エンドキャップ９０６のシール部材９１６は、対応する空気清浄機の波形壁シール面とのシールを形成するのに十分な柔らかさを有する。シールの形成は、シール性能試験の基準ＩＳＯ  １５０１１：２０１４を満たすことによって特定できる。したがって、シール部材９１６は、それが空気清浄装置の波形壁シール面と係合した時にＩＳＯ  １５０１１：２０１４を満たすことによってシールを形成する。シール部材９１６は、それが空気清浄装置に導入されたときに空気清浄装置筐体の波形壁シール面とのシールを形成して空気清浄装置筐体とシーリング関係となるようにするのに十分な柔らかさを有すると特徴付けることができる。それに加えて、シール部材９１６は、波形壁に適合するか、または適合することができ、それによってシール面９１８が波形壁と同じ形状になると特徴付けることができる。シール部材９１６の柔らかさにより、シール部材のシール面９１８は空気清浄装置の筐体の波形壁シール面の構成に適合できる。シール部材９１６を形成するために使用できる例示的な材料には、シリコンゴムが含まれる。好ましくは、シリコンゴムはＡＳＴＭ  Ｄ−４１２の００−３０〜００−１０の、より好ましくは約００−２０のショア硬さを有することができる。使用可能な例示的なタイプのシリコンゴムは、Ｓｍｏｏｔｈ−ＯｎのＥｃｏｆｌｅｘ（登録商標）の名称で入手できる。使用可能な例示的なＥｃｏｆｌｅｘ（登録商標）ゴムには、Ｅｃｏｆｌｅｘ（登録商標）００−２０が含まれる。さらにシールを形成するために選択される具体的なシール部材の材料は、動作温度、シールの厚さ、ローブの大きさ等の様々な条件に依存する。
【０１７６】
フィルタエレメント９００が空気清浄装置に導入され、シール部材９１６が空気清浄装置筐体の波形壁面と、図のような内向きの半径方向のシール等のシールを形成すると、シール面９１８は波形壁の構成と適合する。したがって、フィルタエレメント９００は、空気清浄装置筐体の波形壁シール面とシーリング関係になるようにされると半径方向に向くシール面を有し、シール支持体面と半径方向を向くシール面との間の厚さが中心軸Ｘの周囲のシール部材面に沿って変化すると特徴付けることができる。それに加えて、シール面９１８は、波形壁面を有する筐体に挿入されたときに、半径方向に向くシール部材面９１８を有し、複数のローブがシール部材面に沿って配置され、それを形成し、複数のローブは約１ｍｍ／ローブ〜約２５ｍｍ／ローブのピッチを提供する、と特徴付けることができる。シール面９１８の構成は、波形壁のその他の特性と同じとすることができる。
【０１７７】
シール面９１８は、フィルタエレメントを筐体とシーリング関係となるようにする前に、平滑面（例えば、図４２Ａおよび４２Ｂ参照）を有することも、または、波形壁構成をそのまま写し取らない非平滑面（折り目加工された、またはパターン付き面等）を有することもできる。シール面９１８に非平滑面を提供して、シール面９１８が波形壁の形状に適合するのを支援することが有益かもしれない。
【０１７８】
フィルタエレメント９００は、図１０〜１３に示される第一のフィルタカートリッジのシール面２０２等の空気清浄装置の外向き波形壁シール面に適合し、それと密着できるような内向き半径方向シール面９１８を有するように示されているが、シール部材が空気清浄装置内の内向きの波形壁シール面に適合可能な（または適合できる）外向きの半径方向のシール面を含む、代替的なフィルタエレメントを提供することもできる。内向きの波形壁シール面の例は、図１０〜１３においては第二のフィルタカートリッジのシール面２０４として示されている。シール部材は、それが波形壁をそのまま写し取り、波形壁とのシールを形成するのに十分に柔らかいものとして提供できる。
【０１７９】
内向きか外向きかを問わず、シール面をフィルタエレメントに適用して、図１０に示される波形壁２０２および２０４と密着できるようにするのに十分に柔らかいシール部材を使用するという同じ原理は、図２６〜２７に示される波形壁４１２および図２８〜３２に示される波形壁５０５（波形壁シール面５０６および波形壁シール面５０７を含む）と密着するフィルタエレメントに応用できる。すなわち、波形壁に適合でき、それによって波形壁の形状をとる柔らかいシール部材は、図２６のシール部材４２２として、および図２８のシール部材５１０および５２２として使用できる。
【０１８０】
シール支持体は、筐体とシーリング関係にあるシール部材を支持する各種の代替的な構造として提供できる。シール支持体の１つのタイプはプリフォームである。プリフォームの一例は、射出成型プラスチック材料である。しかしながら、理解すべき点として、「プリフォーム」という用語は、シール支持体の、そこにシール部材を適用する前の形成を指す。プリフォームのその他の例には、スクリーン、濾材、およびその他の様々なプラスチック形成構造が含まれる。これらはプリフォームの例であるが、これらはまた、シール支持体の例でもある。シール支持体として使用できる濾材の例には、濾材に硬化剤が塗布された硬化濾材が含まれる。硬化濾材の一例は、例えば国際特許出願公開第２０１６／０５７８１５号パンフレットの、例えば段落［０１８１］〜［０１８２］に記載されており、その場合、補強剤が濾材に塗布されて、補強剤と濾材の結果として得られたものがシール支持体を形成し、シールを支持するための追加のプラスチック構造（射出成型プラスチック構造等）は不要である。国際特許出願公開第２０１６／０５７８１５号パンフレットの、シール部材を支持するための濾材と補強剤の使用に関する開示は、参照により援用される。それに加えて、米国特許第８，２４１，３８３号明細書に記載されているように、シール支持体は、濾材パックの周囲に硬化性材料（例えば、ポリマ材料）を塗布して、硬化性材料を硬化させ、または硬くし、その後、筐体シールを（例えば鋳造により）硬化した材料の周囲に適用し、硬化した材料が筐体シールのためのシール支持体を形成するようにすることによって提供できる。米国特許第８，２４１，３８３号明細書の開示全体を参照によって本願に援用する。前述のように、硬化性材料は、濾材の表面または周囲に硬化性材料を噴霧するか、または硬化性材料を成型することにより、適用できる。
【０１８１】
選択された特徴
１．（ａ）濾材と、（ｂ）濾材に連結された筐体シール装置であって、（ｉ）ある面を有するシール支持体と、（ｉｉ）シール支持体により支持され、半径方向を向くシール面と、シール支持体面と半径方向を向くシール面との間の、シール部材面に沿って変化する厚さを有するシール部材と、を含む筐体シール装置と、を含むフィルタカートリッジ。２．（ａ）半径方向を向くシール面は内向きの半径方向のシール面を含む、請求項１に記載のフィルタカートリッジ。３．（ａ）半径方向を向くシール面は外向きの半径方向のシール面を含む、請求項１に記載のフィルタカートリッジ。４．（ａ）シール支持体と半径方向を向くシール面との間の厚さは半径方向に変化する、請求項１〜３の何れか１項に記載のフィルタカートリッジ。５．（ａ）シール支持体と半径方向を向くシール面との間の厚さは軸方向に概して一定である、請求項１〜４の何れか１項に記載のフィルタカートリッジ。６．（ａ）シール部材の厚さは最小厚さと最大厚さだけ変化し、最大厚さは最小厚さの少なくとも１．１倍である、請求項１〜５の何れか１項に記載のフィルタカートリッジ。７．半径方向を向くシール面は、（ａ）外側に突出して、かつ軸方向に延びる複数の部分と、（ｂ）内側に突出して、かつ軸方向に延びる複数の部分のうちの少なくとも一方を含む、請求項１〜６の何れか１項に記載のフィルタカートリッジ。８．（ａ）外側に突出して、かつ軸方向に延びる複数の部分と内側に突出して、かつ軸方向に延びる複数の部分は、カートリッジが筐体に導入され、筐体シール面とシールを形成するときに半径方向を向くシール面の中に形成される、請求項７に記載のフィルタカートリッジ。９．（ａ）半径方向を向くシール面は、内側に突出して、かつ軸方向に延びる複数の部分と交互の、外側に突出して、かつ軸方向に延びる複数の部分を含み、半径方向を向くシール面は外向きの半径方向のシール面を含み、シール支持体と、外側に突出して、かつ軸方向に延びる複数の部分における半径方向を向くシール面との間のシール部材の厚さは、シール支持体と、内側に突出して、かつ軸方向に延びる複数の部分における半径方向を向くシール面との間のシール部材の厚さより大きい、請求項７に記載のフィルタカートリッジ。１０．（ａ）半径方向を向くシール面は、内側に突出して、かつ軸方向に延びる複数の部分と交互の、外側に突出して、かつ軸方向に延びる複数の部分を含み、半径方向を向くシール面は、内向きの半径方向のシール面を含み、シール支持体と、外側に突出して、かつ軸方向に延びる複数の部分における半径方向を向くシール面との間のシール部材の厚さは、シール支持体と、内側に突出して、かつ軸方向に延びる複数の部分における半径方向を向くシール面との間のシール部材の厚さより薄い、請求項７に記載のフィルタカートリッジ。１１．（ａ）半径方向を向くシール面は、内側に突出して、かつ軸方向に延びる複数の部分と交互の、外側に突出して、かつ軸方向に延びる複数の部分を含み、外側に突出して、かつ軸方向に延びる複数の部分と、内側に突出して、かつ軸方向に延びる複数の部分のうちの少なくとも一方は湾曲部分を含む、請求項７〜１０の何れか１項に記載のフィルタカートリッジ。１２．（ａ）半径方向を向くシール面は、内側に突出して、かつ軸方向に延びる複数の部分と交互の、外側に突出して、かつ軸方向に延びる複数の部分を含み、半径方向を向くシール面は、フィルタカートリッジ軸の周囲に延びるシール支持体に沿って、１インチあたり、半径方向に内側方向に突出して、かつ軸方向に延びる少なくとも２つの部分と交互の、半径方向に外側に突出して、かつ軸方向に延びる少なくとも２つの部分を含む、請求項７〜１１の何れか１項に記載のフィルタカートリッジ。１３．（ａ）半径方向を向くシール面は、内側に突出して、かつ軸方向に延びる複数の部分と交互の、外側に突出して、かつ軸方向に延びる複数の部分を含み、半径方向を向くシール面は、フィルタカートリッジ軸の周囲に延びるシール支持体に沿った１インチの距離に沿って、半径方向に内側に突出して、かつ軸方向に延びる約１３未満の部分と交互の、半径方向に外側に突出して、かつ軸方向に延びる約１３未満の部分を含む、請求項７〜１２の何れか１項に記載のフィルタカートリッジ。１４．（ａ）半径方向を向くシール面は、内側に突出して、かつ軸方向に延びる複数の部分と交互の、外側に突出して、かつ軸方向に延びる複数の部分を含み、半径方向を向くシール面は半径方向に内側に突出して、かつ軸方向に延びる２０以上の部分と交互の、半径方向に外側に突出して、かつ軸方向に延びる２０以上の部分を含む、請求項７〜１３の何れか１項に記載のフィルタカートリッジ。１５．（ａ）半径方向を向くシール面は、内側に突出して、かつ軸方向に延びる複数の部分と交互の、外側に突出して、かつ軸方向に延びる複数の部分を含み、半径方向を向くシール面は、半径方向に内側に突出して、かつ軸方向に延びる２０以上４００以下の部分と交互の、半径方向に外側に突出して、かつ軸方向に延びる２０以上４００以下の部分を含む、請求項７〜１４の何れか１項に記載のフィルタカートリッジ。１６．（ａ）筐体シール装置は、流体が濾材の中に、またはそこから流れる流体ポートを形成し、シール支持体と半径方向を向くシール部材との間のシール部材の厚さは流体ポートに沿って変化する、請求項１〜１５の何れか１項に記載のフィルタカートリッジ。１７．（ａ）濾材は第一および第二の端を有し、中央開放空間を取り囲み、それを画定する、請求項１〜１６の何れか１項に記載のフィルタカートリッジ。１８．（ａ）濾材は中央開放空間の周囲に配置されたプリーツ付き濾材を含む、請求項１７に記載のフィルタカートリッジ。１９．（ａ）濾材は、中央開放空間の周囲に配置されたプリーツなし濾材を含む、請求項１７に記載のフィルタカートリッジ。２０．（ａ）濾材は、第一および第二の、反対の流面を画定し、第二の流面の付近で閉じたフルートの集合と、第一の流面の付近で閉じたフルートの集合を有する濾材を含む、請求項１〜１６の何れか１項に記載のフィルタカートリッジ。２１．（ａ）濾材は、第二の濾材シートに取り付けられて、巻き取られるか、または積層されたフルート付き濾材シートを含む、請求項１〜１６および２０の何れか１項に記載のフィルタカートリッジ。２２．（ａ）濾材は、第一および第二の、反対の流面を画定し、第一の流面から第二の流面まで延びるフルートを有する濾材を含み、第一の流面から第二の流面への流れは、濾材を通る流れによる場合を除き、閉じられる、請求項１〜１６および２０〜２１の何れか１項に記載のフィルタカートリッジ。２３．（ａ）半径方向を向くシール面は、内側に突出して、かつ軸方向に延びる複数の部分と交互の、外側に突出して、かつ軸方向に延びる複数の部分を含み、シール支持体面と半径方向を向くシール面との間の厚さは、外側に突出して、かつ軸方向に延びる部分と、内側に突出して、かつ軸方向に延びる部分との間で、フィルタカートリッジ軸の周囲で半径方向を向くシール面に沿って連続的に変化する、請求項７〜１６に記載のフィルタカートリッジ。２４．（ａ）濾材は第一および第二の端を有し、（ｂ）第一の開放したエンドピースは濾材の第一の端に位置付けられ、（ｃ）筐体シール装置は第一のエンドピース上に位置付けられる、請求項１〜２３の何れか１項に記載のフィルタカートリッジ。２５．（ａ）シール支持体は、濾材軸の周囲に延びる支持構造を含み、シール支持体も濾材を支持する、請求項１〜２４の何れか１項に記載のフィルタカートリッジ。２６．（ａ）シール支持体はプリフォームを含む、請求項１〜２５の何れか１項に記載のフィルタカートリッジ。２７．（ａ）半径方向を向くシール面は、濾材の端から引っ込められている、請求項１〜２６の何れか１項に記載のフィルタカートリッジ。２８．（ａ）気体流吸込み口および気体流吐出し口を有し、アクセスカバーを有する本体部分を含む筐体と、（ｂ）波形壁筐体シール構造と、（ｃ）筐体内に動作的に、取り外し可能に位置付けられ、波形壁筐体シール構造にシールされる請求項１〜２６の何れか１項に記載のフィルタカートリッジと、を含むフィルタアセンブリ。２９．（ａ）波形壁筐体シール構造は、第一のフィルタカートリッジ波形壁面と第二のフィルタカートリッジ波形壁面を含む、請求項２８に記載のフィルタアセンブリ。３０．（ａ）第一のフィルタカートリッジ波形壁面と第二のフィルタカートリッジ波形壁面は波形壁筐体シール構造のそれぞれ反対側にある、請求項２９に記載のフィルタアセンブリ。３１．（ａ）濾材と、（ｂ）筐体シール装置であって、（ｉ）半径方向を向くシール部材面を有するシール部材と、（ｉｉ）シール部材面に沿って配置され、それを形成する複数のローブと、を含み、（ｉｉｉ）複数のローブは約１ｍｍ／ローブ〜約２５ｍｍ／ローブのピッチを提供する筐体シール装置と、を含むフィルタカートリッジ。３２．（ａ）複数のローブは、約２ｍｍ／ローブ〜約１２ｍｍ／ローブのピッチを提供する、請求項３１に記載のフィルタカートリッジ。３３．（ａ）複数のローブは、約４ｍｍ／ローブ〜約１０ｍｍ／ローブのピッチを提供する、請求項３１に記載のフィルタカートリッジ。３４．（ａ）シール部材面は内向きの半径方向のシール面として提供される、請求項３１〜３３の何れか１項に記載のフィルタカートリッジ。３５．（ａ）シール部材面は外向きの半径方向のシール面として提供される、請求項３１〜３３の何れか１項に記載のフィルタカートリッジ。３６．（ａ）濾材はシール部材面の周辺に沿って配置される、請求項３１〜３５の何れか１項に記載のフィルタカートリッジ。３７．（ａ）シール部材面は濾材の周辺に沿って配置される、請求項３１〜３５の何れか１項に記載のフィルタカートリッジ。３８．（ａ）濾材はプリーツ付き濾材を含む、請求項３１〜３７の何れか１項に記載のフィルタカートリッジ。３９．（ａ）プリーツ付き濾材は中央開放空間の周囲に配置される、請求項３８の何れか１項に記載のフィルタカートリッジ。４０．（ａ）濾材はプリーツなし濾材を含む、請求項３１〜３７の何れか１項に記載のフィルタカートリッジ。４１．（ａ）濾材は第一および第二の反対の流面を画定し、第二の流面の付近で閉じたフルートの集合と、第一の流面の付近で閉じたフルートの集合を有する濾材を含む、請求項４０に記載のフィルタカートリッジ。４２．（ａ）濾材は、第二の濾材シートに取り付けられ、巻き取られるか積層されたフルート付き濾材シートを含む、請求項４０および４１の何れか１項に記載のフィルタカートリッジ。４３．（ａ）濾材は、第一および第二の反対の流面を画定し、第一の流面から第二の流面まで延びるフルートを有する濾材を含み、第一の流面から第二の流面への流れは、濾材を通る流れによる場合を除いて閉じられる、請求項４０〜４１の何れか１項に記載のフィルタカートリッジ。４４．（ａ）気体流吸込み口と気体流吐出し口を有し、アクセスカバーを有する本体部分を含む筐体と、（ｂ）波形壁筐体シール構造と、（ｃ）筐体内に動作的に、取り外し可能に位置付けられ、波形壁筐体シール構造にシールされた請求項３０〜４２の何れか１項に記載のフィルタカートリッジと、を含むフィルタアセンブリ。４５．（ａ）波形壁筐体シール構造は、第一のフィルタカートリッジ波形壁面と第二のフィルタカートリッジ波形壁面を含む、請求項４４に記載のフィルタアセンブリ。４６．（ａ）第一のフィルタカートリッジ波形壁面と第二のフィルタカートリッジ波形壁面は、波形壁筐体シール構造のそれぞれ反対側にある、請求項４５に記載のフィルタアセンブリ。４７．（ａ）濾材と、（ｂ）濾材に連結された筐体シール装置であって、（ｉ）シール支持体と、（ｉｉ）シール部材であって、シール支持体により支持され、半径方向を向く面と、半径方向を向く面がフィルタ筐体上の、約１ｍｍ／ローブ〜約２５ｍｍ／ローブのピッチで提供された複数のローブを有する波形壁シール面に適合するのに十分な柔らかさと、を有するシール部材と、を含む筐体シール装置と、を含むフィルタカートリッジ。４８．
（ａ）複数のローブは、約２ｍｍ／ローブ〜約１２ｍｍ／ローブのピッチを提供する、請求項４７に記載のフィルタカートリッジ。４９．（ａ）複数のローブは、約４ｍｍ／ローブ〜約１０ｍｍ／ローブのピッチを提供する、請求項４７に記載のフィルタカートリッジ。５０．（ａ）シール部材面は内向きの半径方向のシール面として提供される、請求項４７〜４９の何れか１項に記載のフィルタカートリッジ。５１．（ａ）シール部材面は外向きの半径方向シール面として提供される、請求項４７〜４９の何れか１項に記載のフィルタカートリッジ。５２．（ａ）濾材はシール部材面の周辺に沿って配置される、請求項４７〜５１の何れか１項に記載のフィルタカートリッジ。５３．（ａ）シール部材面は濾材の周辺に沿って配置される、請求項４７〜５１の何れか１項に記載のフィルタカートリッジ。５４．（ａ）濾材はプリーツ付き濾材を含む、請求項４７〜５３の何れか１項に記載のフィルタカートリッジ。５５．（ａ）プリーツ付き濾材は中央開放空間の周囲に配置される、請求項５４に記載のフィルタカートリッジ。５６．（ａ）濾材はプリーツなし濾材を含む、請求項４７〜５３の何れか１項に記載のフィルタカートリッジ。５７．（ａ）濾材は第一および第二の反対の流面を画定し、第二の流面の付近で閉じたフルートの集合と、第一の流面の付近で閉じたフルートの集合を有する濾材を含む、請求項５６に記載のフィルタカートリッジ。５８．（ａ）濾材は、第二の濾材シートに取り付けられ、巻き取られるか、積層されたフルート付き濾材シートを含む、請求項５６および５７の何れか１項に記載のフィルタカートリッジ。５９．（ａ）濾材は、第一および第二の反対の流面を画定し、第一の流面から第二の流面まで延びるフルートを有する濾材を含み、第一の流面から第二の流面への流れは、濾材を通る流れによる場合を除き、閉じられる、請求項５６〜５８の何れか１項に記載のフィルタカートリッジ。６０．（ａ）シール部材はシリコンゴムを含む、請求項４７〜５９の何れか１項に記載のフィルタカートリッジ。６１．（ａ）気体流吸込み口と気体流吐出し口を有し、アクセスカバーを有する本体部分を含む筐体と、（ｂ）波形壁筐体シール構造と、（ｃ）筐体内に動作的に、取り外し可能に位置付けられ、波形壁筐体シール構造にシールされた、請求項４６から５９の何れか１項に記載のフィルタカートリッジと、を含むフィルタアセンブリ。６２．（ａ）波形壁筐体シール構造は第一のフィルタカートリッジ波形壁面と第二のフィルタカートリッジ波形壁面を含む、請求項６１に記載のフィルタアセンブリ。６３．（ａ）第一のフィルタカートリッジ波形壁面と第二のフィルタカートリッジ波形壁面は、波形壁筐体シール構造のそれぞれ反対側にある、請求項６２に記載のフィルタアセンブリ。６４．請求項２８〜３０、４４〜４６、および６１〜６３の何れか１項に記載のフィルタアセンブリの修理交換方法において、（ａ）フィルタカートリッジを筐体内に導入するステップと、シール部材と波形壁筐体シール構造との間にシールを形成するステップと、を含む方法。６５．（ａ）フィルタカートリッジを筐体内に導入するステップによって、シール部材を波形壁筐体シール構造に適合させるステップをさらに含む、請求項６４に記載のフィルタアセンブリの修理交換方法。
【０１８２】
繰り返すが、本明細書に記載の原理、手法、および特徴は、様々なシステムに応用でき、本開示によるいくつかの利益を得るためには明示された有利な特徴のすべてを１つのアセンブリ、システム、またはコンポーネントの中に含めなければならないという要求事項はない。
【図１】
2019509884.tif 000003
【図２】
2019509884.tif 000004
【図３】
2019509884.tif 000005
【図４】
2019509884.tif 000006
【図５】
2019509884.tif 000007
【図６】
2019509884.tif 000008
【図６Ａ】
2019509884.tif 000009
【図６Ｂ】
2019509884.tif 000010
【図６Ｃ】
2019509884.tif 000011
【図６Ｄ】
2019509884.tif 000012
【図６Ｅ】
2019509884.tif 000013
【図７】
2019509884.tif 000014
【図８】
2019509884.tif 000015
【図９】
2019509884.tif 000016
【図１０】
2019509884.tif 000017
【図１１】
2019509884.tif 000018
【図１２】
2019509884.tif 000019
【図１３】
2019509884.tif 000020
【図１４】
2019509884.tif 000021
【図１５】
2019509884.tif 000022
【図１６】
2019509884.tif 000023
【図１７】
2019509884.tif 000024
【図１８】
2019509884.tif 000025
【図１９】
2019509884.tif 000026
【図２０】
2019509884.tif 000027
【図２１】
2019509884.tif 000028
【図２２】
2019509884.tif 000029
【図２３】
2019509884.tif 000030
【図２４】
2019509884.tif 000031
【図２５】
2019509884.tif 000032
【図２６】
2019509884.tif 000033
【図２７】
2019509884.tif 000034
【図２８】
2019509884.tif 000035
【図２９】
2019509884.tif 000036
【図３０】
2019509884.tif 000037
【図３１】
2019509884.tif 000038
【図３２】
2019509884.tif 000039
【図３３】
2019509884.tif 000040
【図３４】
2019509884.tif 000041
【図３５】
2019509884.tif 000042
【図３５Ａ】
2019509884.tif 000043
【図３５Ｂ】
2019509884.tif 000044
【図３６】
2019509884.tif 000045
【図３７】
2019509884.tif 000046
【図３８Ａ】
2019509884.tif 000047
【図３８Ｂ】
2019509884.tif 000048
【図３８Ｃ】
2019509884.tif 000049
【図３９】
2019509884.tif 000050
【図４０】
2019509884.tif 000051
【図４１】
2019509884.tif 000052
【図４２Ａ】
2019509884.tif 000053
【図４２Ｂ】
2019509884.tif 000054
【国際調査報告】
2019509884.tif 000055
2019509884.tif 000056
2019509884.tif 000057
2019509884.tif 000058